(57)【要約】【課題】遺失物を高い確率で早期に遺失者に引き渡すことができるようにする。【解決手段】拾得者２が第１の端末装置４を用いて拾得物情報管理サーバ５に拾得物情報８を送信すると、拾得物届出処理手段５ｂにより、拾得物情報８の一部を非公開の特定情報８ａとして、拾得物情報８が拾得物情報データベース５ａに登録される。その後、遺失者６が第２の端末装置７を用いて拾得物情報管理サーバ５に拾得物情報８の参照要求を送信すると、情報公開手段５ｃにより、拾得物情報データベース５ａに登録されている拾得物情報８が、特定情報８ａを除いて第２の端末装置７に送信される。そして、遺失者６が第２の端末装置７を用いて拾得物情報管理サーバ５に遺失物情報９を送信すると、整合性判定手段５ｄにより、遺失物情報９と拾得物情報データベース５ａ内の特定情報８ａとの整合性が判定され、第２の端末装置７に対して判定結果９ｂが返される。【選択図】　　　　図１
2004030485.tif 000002
【特許請求の範囲】
【請求項１】
拾得物に関する情報を管理する拾得物情報管理サーバにおいて、
第１の端末装置からネットワーク経由で拾得物に関する拾得物情報の入力を受け付け、前記拾得物情報の一部を非公開の特定情報として、前記拾得物情報を拾得物情報データベースに登録する拾得物届出処理手段と、
第２の端末装置から前記ネットワークを介して入力される前記拾得物情報の参照要求に応答して、前記拾得物情報データベースに登録されている前記拾得物情報を、前記特定情報を除いて前記第２の端末装置へ送信する情報公開手段と、
前記第２の端末装置から前記ネットワークを介して前記遺失物に関する遺失物情報の入力を受け付け、前記遺失物情報と前記拾得物情報データベース内の前記特定情報との整合性を判定し、前記第２の端末装置に対して判定結果を返す整合性判定手段と、
を有することを特徴とする拾得物情報管理サーバ。
【請求項２】
前記拾得物届出処理手段は、前記拾得物情報の入力を受け付けると共に、前記拾得者の連絡先を含む届出者情報を前記第１の端末装置から受け付けて届出者情報データベースに登録し、
前記整合性判定手段は、前記拾得物情報が登録されてから所定期間、前記拾得物情報に対して引き渡し済みの情報が設定されなかった場合、前記届出者情報に基づいて前記拾得者へ前記所定期間の経過を連絡することを特徴とする請求項１記載の拾得物情報管理サーバ。
【請求項３】
前記第２の端末装置から前記ネットワーク経由で遺失物に関する遺失物情報の入力を受け付け、前記遺失物情報の一部を非公開の特定情報として、前記遺失物情報を遺失物情報データベースに登録する遺失物届出処理手段を更に有し、
前記整合性判定手段は、前記遺失物情報データベース内の前記遺失物情報と前記拾得物情報データベース内の前記拾得物情報との整合性を判定することを特徴とする請求項１記載の拾得物情報管理サーバ。
【請求項４】
前記遺失物届出処理手段は、前記遺失物情報の入力を受け付けると共に、前記遺失者の連絡先を含む届出者情報を前記第２の端末装置から受け付けて届出者情報データベースに登録し、
前記整合性判定手段は、前記遺失物情報登録後に前記拾得物情報データベースに登録された前記拾得物情報との整合性を判定し、前記遺失物情報と前記拾得部情報とが合致した場合、前記届出者情報に基づいて前記遺失者へ合致したことを連絡することを特徴とする請求項３記載の拾得物情報管理サーバ。
【請求項５】
前記情報公開手段は、予め保持している広告情報を前記拾得物情報に付加して、前記第２の端末装置に送信することを特徴とする請求項１記載の拾得物情報管理サーバ。
【請求項６】
前記整合性判定手段は、前記第２の端末装置へ前記特定情報とダミー情報とを混在させた特定情報候補を送信し、前記特定情報の選択入力を受け付けることを特徴とする請求項１記載の拾得物情報管理サーバ。
【請求項７】
前記整合性判定手段は、前記遺失物情報と前記拾得物情報データベース内の前記特定情報とが合致した場合、合致した情報よりも具体的な概念の語句の入力要求を前記第２の端末装置に送信し、具体的な概念の語句での一致不一致により整合性を判定することを特徴とする請求項１記載の拾得物情報管理サーバ。
【請求項８】
拾得物に関する情報を管理する拾得物情報管理サーバにおいて、
第１の端末装置からネットワーク経由で拾得物の保管場所を含む拾得物情報の入力を受け付け、前記拾得物情報を拾得物情報データベースに登録する拾得物届出処理手段と、
第２の端末装置から前記ネットワークを介して入力される前記拾得物情報の参照要求に応答して、前記拾得物情報データベースに格納されている前記拾得物情報から前記拾得物を保管している店舗の情報を取得し、前記店舗から提供された広告情報と前記拾得物情報とを前記第２の端末装置へ送信する情報公開手段と、を有することを特徴とする拾得物情報管理サーバ。
【請求項９】
拾得物に関する情報を管理するための拾得物情報管理プログラムにおいて、
コンピュータに、
第１の端末装置からネットワーク経由で拾得物に関する拾得物情報の入力を受け付け、前記拾得物情報の一部を非公開の特定情報として、前記拾得物情報を拾得物情報データベースに登録し、
第２の端末装置から前記ネットワークを介して入力される前記拾得物情報の参照要求に応答して、前記拾得物情報データベースに登録されている前記拾得物情報を、前記特定情報を除いて前記第２の端末装置へ送信し、
前記第２の端末装置から前記ネットワークを介して前記遺失物に関する遺失物情報の入力を受け付け、前記遺失物情報と前記拾得物情報データベース内の前記特定情報との整合性を判定し、前記第２の端末装置に対して判定結果を返す、
処理を実行させることを特徴とする拾得物情報管理プログラム。
【請求項１０】
拾得物に関する情報をコンピュータにより管理するための拾得物情報管理方法において、
第１の端末装置からネットワーク経由で拾得物に関する拾得物情報の入力を受け付け、前記拾得物情報の一部を非公開の特定情報として、前記拾得物情報を拾得物情報データベースに登録し、
第２の端末装置から前記ネットワークを介して入力される前記拾得物情報の参照要求に応答して、前記拾得物情報データベースに登録されている前記拾得物情報を、前記特定情報を除いて前記第２の端末装置へ送信し、
前記第２の端末装置から前記ネットワークを介して前記遺失物に関する遺失物情報の入力を受け付け、前記遺失物情報と前記拾得物情報データベース内の前記特定情報との整合性を判定し、前記第２の端末装置に対して判定結果を返す、
ことを特徴とする拾得物情報管理方法。
【発明の詳細な説明】
【０００１】
【発明の属する技術分野】
本発明は遺失物の関する情報を管理するための拾得物情報管理サーバ、拾得物情報管理プログラムおよび拾得物情報管理方法に関し、特に広域ネットワークを介して拾得物情報を提供する拾得物情報管理サーバ、拾得物情報管理プログラムおよび拾得物情報管理方法に関する。
【０００２】
【従来の技術】
町中で落とし物（拾得物）を拾った場合、落とし主（遺失者）の連絡先の記載が無い限り、拾い主（拾得者）が直接遺失者を探し出して拾得物を引き渡すのは困難である。そこで、一般には、拾得者は、拾得物を所定の機関に届け出る。そして、その機関に遺失者が問い合わせることで、遺失者は、拾得物の存在の確認と、拾得物を受け取ることができる。拾得物を預かる機関は、日本であれば、拾得した場所を管轄する警察署、交番、駐在所などである。
【０００３】
なお、落とし物の拾得者にしてみると、落とし物を届け出るには、交番等に出向いて所定の手続きをしなければならず、余計な手間が発生する。しかも、交番まで遠い場合や、地理に不慣れで交番の場所が分からない場合などには、拾得者に多大な手間をかけさせることとなる。拾得物の交番などへの届出は拾得者の善意に頼っているのが現実であるため、拾得者にかかる手間が多いほど落とし物が遺失者の手に戻る可能性が低くなってしまう。
【０００４】
なお、駅の構内やデパートの売り場などの特定の施設内での落とし物に関しては、駅やデパートなどの施設において一時的に落とし物を預かることがある。これにより、拾得者に対する拾得物の届出の負担を軽減することができる。
【０００５】
ただし、落とし物の届出先となり得る場所が複数存在する場合、遺失者は、どの場所に紛失物の問い合わせをすべきかが分からない。実際に拾得物が届けられた場所と異なる場所に問い合わせても、遺失物が拾得物として別の場所に届けられているかどうかを確認できないのが一般的である。
【０００６】
そこで、特開平９−９１３４０号公報に記載された発明では、駅や交番などの各機関に端末を設定し、各機関の間で拾得物の情報を共有して持つことで、どの機関に落とし主が問い合わせても拾得物の届出の有無を確認できるようにしている。
【０００７】
【発明が解決しようとする課題】
しかし、拾得物を一時的に預かるデパートなどの施設において、拾得物を保管し、遺失者からの問い合わせに応対する作業には人手がかかり、その施設にとって直接的なメリットがない。そのため、拾得物情報のデータベース化までして拾得物の保管サービスを行うことができるのは、駅のような公共の機関や、デパートのように手厚いサービスで他店との差別化を図る一部の民間施設に限定されているのが現状である。そのため、各機関の間で拾得物の情報を共有しても、実際には、拾得物の届出の有無が確認できるのは、少数の機関（施設）に限られてしまう。
【０００８】
なお、拾得物の情報をインターネットなどの広域ネットワーク上に公開することも考えられるが、その場合不正行為に対する安全性が損なわれるという問題が発生する。たとえば、拾得物に関する全ての情報を公開してしまうと、落とし主になりすまして不正に拾得物を受け取る行為（このような行為を「遺失者なりすまし」と呼ぶこととする）を防ぐことができない。
【０００９】
また、拾得者は所定の機関に出向いて拾得物の届出を行わなければならないため、拾得物の届出を受け付ける機関が少なければ、それだけ届出の手間が増加する。その結果、届出が遅れることがあった。しかも、届出先の機関（たとえば交番）で担当者（たとえば警官）による聞き取りなどの作業が行われるため、届出の手続きに時間がかかる。そのため、余計な手間を嫌う通行人は、落とし物を見つけても拾わずに通り過ぎてしまう場合もあり得る。
【００１０】
このように、従来は、遺失者なりすまし防止のための拾得物の情報が公開できないこと、拾得者に多大な手間がかかること、および拾得物を預かる施設が限定されることなどが、拾得物の届出率の低下や拾得物の引き渡しの遅延を招いていた。その結果、遺失者は、遺失物を見つけ出せないか、見つけだすまでに長期間を要していた。
【００１１】
本発明はこのような点に鑑みてなされたものであり、遺失物を高い確率で早期に遺失者に引き渡すための情報提供が可能な拾得物情報管理サーバ、拾得物情報管理プログラムおよび拾得物情報管理方法を提供することを目的とする。
【００１２】
【課題を解決するための手段】
本発明の第１の態様では上記課題を解決するために、図１に示すような拾得物情報管理サーバ５が提供される。拾得物情報管理サーバ５は、拾得物に関する情報を管理するものである。拾得物情報管理サーバ５において、拾得物届出処理手段５ｂは、第１の端末装置４からネットワーク経由で拾得物に関する拾得物情報８の入力を受け付け、拾得物情報８の一部を非公開の特定情報８ａとして、拾得物情報８を拾得物情報データベース５ａに登録する。情報公開手段５ｃは、第２の端末装置７からネットワークを介して入力される拾得物情報８の参照要求に応答して、拾得物情報データベース５ａに登録されている拾得物情報８を、特定情報８ａを除いて第２の端末装置７へ送信する。整合性判定手段５ｄは、第２の端末装置７からネットワークを介して遺失物に関する遺失物情報９の入力を受け付け、遺失物情報９と拾得物情報データベース５ａ内の特定情報８ａとの整合性を判定し、第２の端末装置７に対して判定結果９ｂを返す。
【００１３】
このような拾得物情報管理サーバ５によれば、拾得者２が第１の端末装置４を用いて拾得物情報管理サーバ５に拾得物情報を送信すると、その拾得物情報が拾得物届出処理手段５ｂで受け付けられ、拾得物情報８の一部を非公開の特定情報８ａとして、拾得物情報８が拾得物情報データベース５ａに登録される。その後、遺失者６が第２の端末装置７を用いて拾得物情報管理サーバ５に拾得物情報８の参照要求を送信すると、その参照要求に応答して、情報公開手段５ｃにより、拾得物情報データベース５ａに登録されている拾得物情報８が、特定情報８ａを除いて第２の端末装置７に送信される。そして、遺失者６が第２の端末装置７を用いて拾得物情報管理サーバ５に遺失物情報９を送信すると、整合性判定手段５ｄにより、遺失物情報９と拾得物情報データベース５ａ内の特定情報８ａとの整合性が判定され、第２の端末装置７に対して判定結果９ｂが返される。
【００１４】
また、本発明の第２の態様では、拾得物に関する情報を管理する拾得物情報管理サーバにおいて、第１の端末装置からネットワーク経由で拾得物の保管場所を含む拾得物情報の入力を受け付け、前記拾得物情報を拾得物情報データベースに登録する拾得物届出処理手段と、第２の端末装置から前記ネットワークを介して入力される前記拾得物情報の参照要求に応答して、前記拾得物情報データベースに格納されている前記拾得物情報から前記拾得物を保管している店舗の情報を取得し、前記店舗から提供された広告情報と前記拾得物情報とを前記第２の端末装置へ送信する情報公開手段と、を有することを特徴とする拾得物情報管理サーバが提供される。
【００１５】
このような拾得物情報管理サーバによれば、拾得物届出処理手段により、第１の端末装置からネットワーク経由で拾得物の保管場所を含む拾得物情報の入力が受け付けられ、拾得物情報が拾得物情報データベースに登録される。また、情報公開手段により、第２の端末装置からネットワークを介して入力される拾得物情報の参照要求に応答して、拾得物情報データベースに格納されている拾得物情報から拾得物を保管している店舗の情報が取得され、店舗から提供された広告情報と拾得物情報とが第２の端末装置に送信される。
【００１６】
また、本発明の第３の態様では、拾得物に関する情報を管理するための拾得物情報管理プログラムにおいて、コンピュータに、第１の端末装置からネットワーク経由で拾得物に関する拾得物情報の入力を受け付け、前記拾得物情報の一部を非公開の特定情報として、前記拾得物情報を拾得物情報データベースに登録し、第２の端末装置から前記ネットワークを介して入力される前記拾得物情報の参照要求に応答して、前記拾得物情報データベースに登録されている前記拾得物情報を、前記特定情報を除いて前記第２の端末装置へ送信し、前記第２の端末装置から前記ネットワークを介して前記遺失物に関する遺失物情報の入力を受け付け、前記遺失物情報と前記拾得物情報データベース内の前記特定情報との整合性を判定し、前記第２の端末装置に対して判定結果を返す、処理を実行させることを特徴とする拾得物情報管理プログラムが提供される。
【００１７】
このような拾得物情報管理プログラムをコンピュータに実行させれば、上記本発明の第１の態様に示した拾得物情報管理サーバが構築される。
また、本発明の第４の態様では、拾得物に関する情報をコンピュータにより管理するための拾得物情報管理方法において、第１の端末装置からネットワーク経由で拾得物に関する拾得物情報の入力を受け付け、前記拾得物情報の一部を非公開の特定情報として、前記拾得物情報を拾得物情報データベースに登録し、第２の端末装置から前記ネットワークを介して入力される前記拾得物情報の参照要求に応答して、前記拾得物情報データベースに登録されている前記拾得物情報を、前記特定情報を除いて前記第２の端末装置へ送信し、前記第２の端末装置から前記ネットワークを介して前記遺失物に関する遺失物情報の入力を受け付け、前記遺失物情報と前記拾得物情報データベース内の前記特定情報との整合性を判定し、前記第２の端末装置に対して判定結果を返す、ことを特徴とする拾得物情報管理方法が提供される。
【００１８】
このような拾得物情報管理方法によれば、前記本発明の第１の態様に示した拾得物情報管理サーバの実行される処理と同様の方法で遺失物情報が管理される。
【００１９】
【発明の実施の形態】
以下、本発明の実施の形態を図面を参照して説明する。
まず、実施の形態に適用される発明の概要について説明し、その後、実施の形態の具体的な内容を説明する。
【００２０】
図１は、実施の形態に適用される発明の概念図である。拾得物情報管理サーバ５は、拾得物に関する情報を管理するものである。拾得物情報管理サーバ５において、拾得物届出処理手段５ｂは、第１の端末装置４からネットワーク経由で拾得物に関する拾得物情報８の入力を受け付け、拾得物情報８の一部を非公開の特定情報８ａとして、拾得物情報８を拾得物情報データベース５ａに登録する。情報公開手段５ｃは、第２の端末装置７からネットワークを介して入力される拾得物情報８の参照要求に応答して、拾得物情報データベース５ａに登録されている拾得物情報８を、特定情報８ａを除いて第２の端末装置７へ送信する。整合性判定手段５ｄは、第２の端末装置７からネットワークを介して遺失物に関する遺失物情報９の入力を受け付け、遺失物情報９と拾得物情報データベース５ａ内の特定情報８ａとの整合性を判定し、第２の端末装置７に対して判定結果９ｂを返す。
【００２１】
このような拾得物情報管理サーバ５を、ネットワークを介して第１の端末装置４や第２の端末装置７に接続することで、ネットワークを介した拾得物の届出や、拾得物の届出の有無の確認を行うことができる。
【００２２】
たとえば、拾得物１を拾った拾得者２は、近くの商店３に拾得物１を届け出る。そして、商店３に設置されている第１の端末装置４を用いて、拾得物情報８を拾得物情報管理サーバ５にネットワークを介して送信する。
【００２３】
すると、拾得物情報管理サーバ５では、拾得物届出処理手段５ｂにより、第１の端末装置からネットワーク経由で拾得物に関する拾得物情報８の入力が受け付けられる。そして、拾得物届出処理手段５ｂにより、拾得物情報８の一部を非公開の特定情報８ａとして、拾得物情報８が拾得物情報データベース５ａに登録される。
【００２４】
遺失者６は、第２の端末装置７からネットワークを介して拾得物情報８の参照要求を、拾得物情報管理サーバ５に送信する。すると、情報公開手段５ｃにより、拾得物情報データベース５ａに登録されている拾得物情報８のうち特定情報８ａを除いた情報８ｂが第２の端末装置７に送信される。
【００２５】
第２の端末装置７を用いて情報８ｂを参照した遺失者６は、情報８ｂの内容が遺失物と合致すれば、第２の端末装置７からネットワークを介して遺失物情報９（少なくとも、特定情報を含む）を、拾得物情報管理サーバ５に送信する。すると、整合性判定手段５ｄにより、遺失物情報９と拾得物情報データベース５ａ内の特定情報８ａとの整合性が判定される。たとえば、整合性判定手段５ｄは、遺失物情報９のうち、拾得物情報８の特定情報８ａに対応する情報９ａを抽出し、特定情報８ａと抽出した情報９ａとの整合性を判定する。そして、整合性判定手段５ｄは、第２の端末装置７に対して判定結果９ｂを返す。
【００２６】
遺失者６は、合致という判定結果９ｂを受け取った場合には、商店３に出向き、拾得物１として届けられている自身の遺失物の引き渡しを受ける。
このように、拾得物情報８の一部を非公開にして、非公開にした特定情報８ａと遺失物情報９との整合性を判定することで、遺失者６が拾得物１の正しい持ち主であることを確認することができる。すなわち、遺失者なりすましが行われるのを防止できる。この結果、特定情報８ａを除く拾得物情報８の広域ネットワーク上での公開が可能となり、遺失者６の自宅のコンピュータなどを用いて、拾得物情報を参照することできる。
【００２７】
また、拾得物情報８の拾得物情報管理サーバ５への送信は、広域ネットワークを介して行うことで、拾得場所近くの商店３などから容易に拾得物情報を拾得物情報管理サーバ５に送信することができる。従って、拾得物届出のための拾得者２への負担が軽減され、拾得物の届けられる割合が高くなるとともに、拾得物の届出が迅速に行われるようになる。その結果、遺失物が高い確率で早期に遺失者２に引き渡される。
【００２８】
なお、拾得物１を預かっている商店３の広告を、拾得物情報８の参照要求に応答して第２の端末装置７に送信するようにすれば、商店３では、拾得物１を保管することにより宣伝広告効果を期待できる。そこで、拾得物情報に広告を付加して遺失者に提供するようなシステムの例を、実施の形態として具体的に説明する。
【００２９】
図２は、本実施の形態のシステム構成例を示す図である。図２に示すようにインターネット１０を介して、拾得物情報管理サーバ１００に複数の端末装置２０１〜２０５が接続されている。各端末装置２０１〜２０５は、遺失物や拾得物に関する情報の入力や閲覧を行うための装置である。
【００３０】
たとえば、端末装置２０１は、遺失物保管センタ２１に設置されている。遺失物保管センタ２１は、管轄地域内で届けられた遺失物の保管管理を行うための施設である。遺失物保管センタ２１では、拾得物の保管、遺失者と拾得物との確認、拾得物の引き渡しなどが行われる。また、遺失物保管センタ２１では、報労金（謝礼金）を預かることもある。遺失物保管センタ２１において拾得物の引き渡しが行われると、端末装置２０１に対して、引き渡し完了の入力が行われる。入力内容は、拾得物情報管理サーバ１００に送られ、管理される。
【００３１】
端末装置２０２は、交番２２に設置されている。交番２２では、拾得物の届出を受ける。拾得物の届出が行われる、端末装置２０２を用いて拾得物情報が入力される。入力された拾得物情報は、拾得物情報管理サーバ１００に送られ、管理される。なお、端末装置２０２にはプリンタが接続されており、拾得物情報が入力されるとプリンタから「拾得物預かり証」が出力される。拾得物預かり証は、拾得物を届け出た拾得者に渡される。その後、交番２２では、所定期間だけ拾得物を預かる。その期間内にその拾得物の遺失者が現れれば、拾得物が遺失者に渡される。現れなければ、拾得物は、遺失物保管センタ２１に送られる。
【００３２】
端末装置２０３は、遺失者宅２３に設置されている。落とし物をした遺失者は、遺失者宅２３の端末装置２０３を用いて、以下のことを行うことができる。
・遺失物届出
遺失物届出では、まず、遺失者が端末装置２０３を用いて遺失物に関する情報を入力する。このとき、遺失物の画像データを添えることもできる。入力された遺失物情報は、端末装置２０３から拾得物情報管理サーバ１００に送られ、管理される。また、端末装置２０３にはプリンタが接続されており、そのプリンタから「遺失物届出書」が印刷される。
【００３３】
・拾得物検索
拾得物検索は、遺失物の届出を行った直後や、その後の任意の時刻に行うことができる。拾得物検索では、遺失者は、端末装置２０３を用いて届出内容に合致する拾得物情報の検索を、拾得物情報管理サーバ１００に指示する。すると、拾得物情報管理サーバ１００から検索結果が端末装置２０３に通知される。検索結果としては、入力された遺失物情報に類似する拾得物情報のリストが出力される。遺失者は、自己の遺失物であると思われる拾得物情報を指定して、拾得物情報管理サーバ１００から送られる質問に、端末装置２０３を用いて回答する。回答内容に応じて、拾得物情報管理サーバ１００において合致／非合致が判断され、判断結果が端末装置２０３に通知される。
【００３４】
・合致通知受領
拾得者により追加登録された拾得物情報と、遺失者が既に登録しておいた遺失物情報とが拾得物情報管理サーバ１００で比較され、合致したと判断されると、その旨の合致通知が端末装置２０３に送信される。合致通知は、たとえば電子メールを用いて行われる。
【００３５】
拾得物検索により合致の判定を受け取るか、もしくは合致通知を受け取った場合、遺失者は「遺失物届出書」持参で、拾得物を保管している場所に出向く。そして、遺失者は、遺失物を受け取り、報労金（謝礼金）を支払う。
【００３６】
端末装置２０４は、拾得者宅２４に設置されている。落とし物を拾った拾得者は、拾得者宅２４の端末装置２０４を用いて、以下のことを行うことができる。・拾得物届出
拾得者は、拾得者宅２４の端末装置２０４を用いて拾得物情報管理サーバ１００にアクセスし、拾得物の届出を行うことができる。具体的には、拾得者は、端末装置２０４を用いて、拾得物情報を入力する。拾得物情報には、拾得物の画像データを添付することもできる。入力された拾得物情報は、端末装置２０４から拾得物情報管理サーバ１００に送られ、管理される。また、端末装置２０４にはプリンタが接続されており、そのプリンタから「拾得物届出書」が印刷される。
【００３７】
拾得者は、拾得物と拾得物届出書とを持参して、近くの交番などに出向くことで、交番の警官から「拾得物預かり証」を受け取ることができる。
・遺失物検索
遺失物検索は、拾得物の届出を行った直後や、その後の任意の時刻に行うことができる。遺失物検索では、拾得者は、端末装置２０４を用いて届出内容に合致する遺失物情報の検索を、拾得物情報管理サーバ１００に指示する。すると、拾得物情報管理サーバ１００から検索結果が端末装置２０４に通知される。検索結果としては、入力された拾得物情報に類似する遺失物情報のリストが出力される。拾得者は、自己の拾った拾得物であると思われる遺失物情報を指定して、拾得物情報管理サーバ１００から送られる質問に、端末装置２０４を用いて回答する。回答内容に応じて、拾得物情報管理サーバ１００において合致／非合致が判断され、判断結果が端末装置２０４に通知される。
【００３８】
・引取通知受領
遺失者が現れるか、または６ヵ月が経過すると、拾得物情報管理サーバ１００から端末装置２０４宛てに、報奨金（謝礼金）または拾得物の引取通知が送られる。拾得者は、引取通知を確認すると、「拾得物預かり証」を持参して、指定場所（たとえば、遺失物保管センタ２１）に出向き、報奨金（謝礼金）、または拾得物を受け取る。
【００３９】
端末装置２０５は、遺失物の一時保管に関するサービスを行うグループに参加している加盟店２５に設置されている。拾得者が拾得物を加盟店２５に届けた場合、加盟店２５において、端末装置２０５を用いて拾得物の届け出を行うことができる。また、加盟店２５において拾得物を一時的に保管し、遺失者が現れたら、報奨金（謝礼金）と引き替えに、拾得物を遺失者に引き渡す。
【００４０】
以上のようなシステム構成によって、拾得物を正当な遺失者に引き渡すことができる。なお、図２に示したシステムは、拾得物情報管理サーバ１００を中心に構成されている。拾得物情報管理サーバ１００は、ネットワーク接続可能なサーバコンピュータにより構築することができる。
【００４１】
図３は、拾得物情報管理サーバのハードウェア構成例を示す図である。拾得物情報管理サーバ１００は、ＣＰＵ（Ｃｅｎｔｒａｌ　Ｐｒｏｃｅｓｓｉｎｇ　Ｕｎｉｔ）１０１によって装置全体が制御されている。ＣＰＵ１０１には、バス１０７を介してＲＡＭ（Ｒａｎｄｏｍ　Ａｃｃｅｓｓ　Ｍｅｍｏｒｙ）１０２、ハードディスクドライブ（ＨＤＤ：Ｈａｒｄ　Ｄｉｓｋ　Ｄｒｉｖｅ）１０３、グラフィック処理装置１０４、入力インタフェース１０５、および通信インタフェース１０６が接続されている。
【００４２】
ＲＡＭ１０２には、ＣＰＵ１０１に実行させるＯＳ（Ｏｐｅｒａｔｉｎｇ　Ｓｙｓｔｅｍ）のプログラムやアプリケーションプログラムの少なくとも一部が一時的に格納される。また、ＲＡＭ１０２には、ＣＰＵ１０１による処理に必要な各種データが格納される。ＨＤＤ１０３には、ＯＳやアプリケーションプログラムが格納される。
【００４３】
グラフィック処理装置１０４には、モニタ１１が接続されている。グラフィック処理装置１０４は、ＣＰＵ１０１からの命令に従って、画像をモニタ１１の画面に表示させる。入力インタフェース１０５には、キーボード１２とマウス１３とが接続されている。入力インタフェース１０５は、キーボード１２やマウス１３から送られてくる信号を、バス１０７を介してＣＰＵ１０１に送信する。
【００４４】
通信インタフェース１０６は、インターネット１０に接続されている。通信インタフェース１０６は、インターネット１０を介して、他のコンピュータとの間でデータの送受信を行う。
【００４５】
以上のようなハードウェア構成によって、本実施の形態の処理機能を実現することができる。なお、図３には、拾得物情報管理サーバ１００のハードウェア構成例を示したが、各端末装置２０１〜２０５も同様の構成で実現することができる。なお、各端末装置２０１〜２０５には、プリンタ、スキャナ、ディジタルカメラなどの画像データの入出力機器が接続可能である。
【００４６】
図４は、拾得物情報管理サーバの機能ブロック図である。拾得物情報管理サーバ１００には、遺失物情報データベース（ＤＢ）１１０、拾得物情報データベース（ＤＢ）１２０、届出者情報データベース（ＤＢ）１３０、加盟店情報データベース（ＤＢ）１４０、遺失物届出処理部１５０、拾得物届出処理部１６０、情報公開部１７０および整合性判定部１８０を有している。
【００４７】
遺失物情報ＤＢ１１０は、落とし物（遺失物）をした者（遺失者）が、遺失物に関して入力した情報が登録されたデータベースである。拾得物情報ＤＢ１２０は、落とし物（拾得物）を拾った者（拾得者）が、拾得物に関して入力した情報が登録されたデータベースである。届出者情報ＤＢ１３０は、遺失者や拾得者が入力した自身に関する情報が登録されたデータベースである。加盟店情報ＤＢ１４０は、拾得物の一時預かりを承諾した加盟店に関する情報が登録されたデータベースである。
【００４８】
遺失物届出処理部１５０は、遺失者からの端末装置を経由した遺失物の届出を受け付ける。遺失物届出処理部１５０は、届出された遺失物の情報を遺失物情報ＤＢ１１０に登録する。また、遺失物届出処理部１５０は、遺失物の届出を行った遺失者に関する情報を届出者情報ＤＢ１３０に登録する。さらに、遺失物届出処理部１５０は、遺失物が見つかり、遺失者の手元に戻ったことを示す情報を受け取ると、その旨を、遺失物情報ＤＢ１１０内の該当する遺失物情報に設定する。
【００４９】
拾得物届出処理部１６０は、拾得者からの端末装置を経由した拾得物の届出を受け付ける。拾得物届出処理部１６０は、届出された拾得物の情報を拾得物情報ＤＢ１２０に登録する。また、拾得物届出処理部１６０は、拾得物の届出を行った拾得者に関する情報を届出者情報ＤＢ１３０に登録する。さらに、拾得物届出処理部１６０は、遺失者が見つかり、拾得物が遺失者の手元に戻ったことを示す情報を受け取ると、その旨を、拾得物情報ＤＢ１２０内の該当する拾得物情報に設定する。
【００５０】
情報公開部１７０は、遺失物情報ＤＢ１１０や拾得物情報ＤＢ１２０の内容を、インターネット１０に接続された端末装置に対して提供する。
整合性判定部１８０は、遺失物情報ＤＢ１１０と拾得物情報ＤＢ１２０との情報検索を行い、検出された情報の内容を比較して類似する情報の検出や、整合性の判定を行う。検索や判定の処理は、たとえば、端末装置２０３，２０４を用いた遺失者や拾得者からの要求に応じて実行される。
【００５１】
また、整合性判定部１８０は、拾得物情報が入力されたときは、既に遺失物情報ＤＢ１１０に登録されている遺失物情報との整合性を検査する。内容が一致する遺失物情報が検出された場合、整合性判定部１８０は、その旨を遺失物届出を行った遺失者に連絡することができる。たとえば、連絡は、電子メールによって行う。これにより、遺失者は、拾得物情報ＤＢ１２０を監視していなくても、自己の遺失物が拾得物として届けられたことを即座に知ることができる。
【００５２】
また、整合性判定部１８０は、拾得物情報ＤＢ１２０に登録されている拾得物情報のうち、拾得者が所有権を得られるまでの所定期間（たとえば、６ヶ月）を経過しても遺失者が現れていない拾得物情報を抽出する。そして、整合性判定部１８０は、抽出した拾得物情報の届出を行った拾得者に対して、所定期間が経過したことを連絡する。連絡は、たとえば、電子メールによって行う。これにより、拾得者は、拾得物の所有権が得られたことを知ることができる。
【００５３】
図５は、遺失物情報ＤＢのデータ構造例を示す図である。遺失物情報ＤＢ１１０には、整理番号（Ｎｏ．）、遺失物名、特徴情報（公開）、特定情報（星印は公開可）、日時情報、場所情報、届出者、拾得物の引渡、および拾得物合致通知などの項目が設けられている。
【００５４】
整理番号（Ｎｏ．）の欄には、遺失物の届出毎の整理番号が設定される。
遺失物名の欄には、遺失物の一般名称が登録される。たとえば、カバンやサイフなどである。
【００５５】
特徴情報（公開）の欄には、遺失物の特徴を表す情報が登録される。この特徴情報は、公に公開される情報である。特徴情報（公開）の欄は、特徴を示す属性毎に複数の欄が設けられている。図５の例では、色、種類、画像などの欄が設けられている。色の欄には、拾得物の外観の色が設定される。種類の欄には、拾得物の細かな種類に関する情報が設定される。たとえば、拾得物がカバンであれば、セカンドバッグ（セカンド）であることが設定されたり、拾得物がサイフであれば２つ折りであることが設定されたりする。画像の欄には、拾得物を撮影した画像を保存したファイルの名称が設定される。
【００５６】
特定情報（星印は公開可）の欄には、遺失者の入力に応じて拾得物を特定するための情報が登録される。この特定情報は、遺失者が任意に指定した情報のみが公開され、他の情報は非公開となる。図５では、公開可能と指定された情報に対して星印（★）が示されている。特定情報の欄は、遺失物を特定するために必要な情報を登録するための複数の項目（特定１、特定２、特定３、・・・）が設けられている。
【００５７】
日時情報の欄には、遺失日時（遺失の欄）と届出日時（届出の欄）とに関する情報が設定される。遺失日時には、遺失者により入力された日時が設定される。届出日時は、遺失物の届出の処理が行われたときの時刻（拾得物情報管理サーバ１００内でのタイムスタンプ）が設定される。
【００５８】
場所情報の欄には、遺失場所（遺失の欄）と届出場所（届出の欄）とに関する情報が設定される。遺失場所は、たとえば、「仙台駅付近」のように、可能な限り具体的な場所である。届出場所は、交番に届出をした場合には、届出された交番の名称が設定される。また、遺失者が遺失者宅２３の端末装置２０３を用いて遺失物の届出をした場合には、届出場所には「システム」と設定される。
【００５９】
届出者の欄には、拾得物の届出を行った拾得者の識別番号が設定される。
拾得物の引渡の欄には、拾得物が遺失者に引き渡された場合に、拾得者によって登録された拾得者情報の識別番号（Ｎｏ．）、引渡日時（日時）、および謝礼が設定される。
【００６０】
拾得物合致通知の欄には、拾得物と遺失物の情報が合致したときに、合致した拾得物情報の識別番号（Ｎｏ．）と合致した日時とが登録される。
図６は、拾得物情報ＤＢのデータ構造例を示す図である。拾得物情報ＤＢ１２０には、整理番号（Ｎｏ．）、拾得物名、特徴情報（公開）、特定情報（非公開）、日時情報、場所情報、届出者、保管場所、遺失者への引渡、届出者へ通知日時などの欄が設けられている。
【００６１】
整理番号（Ｎｏ．）の欄には、拾得物の届出毎の整理番号が設定される。
拾得物名の欄には、拾得物の一般名称が登録される。たとえば、カバンやサイフなどである。
【００６２】
特徴情報（公開）の欄には、拾得物の特徴を表す情報が登録される。この特徴情報は、公に公開される情報である。特徴情報（公開）の欄は、特徴を示す属性毎に複数の欄が設けられている。図６の例では、色、種類、画像などの欄が設けられている。各欄の内容は、図５に示した遺失物情報ＤＢ１１０の特徴情報の欄と同様である。
【００６３】
特定情報（非公開）の欄には、遺失者の入力に応じて拾得物を特定するための情報が登録される。この特定情報は、公には非公開の情報である。特定情報（非公開）の欄は、拾得物を特定するために必要な情報を登録するための複数の項目（特定１、特定２、特定３、・・・）が設けられている。特定情報としては、たとえば、カバンやサイフの内容物が設定される。カバンの中身であれば、煙草、ライター、鍵などの情報が設定され、サイフの中身であれば、現金の額や、キャッシュカードなどの情報が設定される。
【００６４】
日時情報の欄には、拾得日時（拾得の欄）と届出日時（届出の欄）とに関する情報が設定される。拾得日時には、拾得者により入力された日時が設定される。届出日時は、拾得物の届出の処理が行われたときの時刻（拾得物情報管理サーバ１００内でのタイムスタンプ）が設定される。
【００６５】
場所情報の欄には、拾得場所（拾得の欄）と届出場所（届出の欄）とに関する情報が設定される。拾得場所は、たとえば、「青葉通りＸＸデパート前」のように、可能な限り具体的な場所である。届出場所は、交番に届出をした場合には、届出された交番の名称が設定される。また、拾得者が拾得者宅２４の端末装置２０４を用いて拾得物の届出をした場合には、届出場所には「システム」と設定される。
【００６６】
届出者の欄には、拾得物の届出を行った拾得者の識別番号が設定される。
保管場所の欄には、拾得物の現在の保管場所が設定される。拾得物が交番に保管された場合には、所定期間だけその交番で保管され、その後、遺失物保管センタで保管される。また、拾得者が拾得者宅２４の端末装置２０４で拾得物の届出を行った場合には、拾得者が交番等の公的機関に拾得物を提出するまでの間、届出場所として「届出者」が設定される。
【００６７】
遺失者へ引渡の欄には、拾得物が遺失者に引き渡された場合に、遺失者によって登録された遺失者情報の識別番号（Ｎｏ．）と、引渡日時（日時）とが設定される。
【００６８】
届出者へ通知日時の欄には、拾得物が引き渡されたことを届出者（拾得者）に通知した日時が設定される。なお、届出者への通知は、たとえば電子メールで行われる。
【００６９】
図７は、届出者情報ＤＢのデータ構造例を示す図である。届出者情報ＤＢ１３０には、届出者の識別番号（Ｎｏ．）、氏名、電話番号、Ｅ−ｍａｉｌアドレス、住所、地図情報、およびＰＲ（Ｐｕｂｌｉｃ　Ｒｅｌａｔｉｏｎｓ）情報の欄が設けられている。
【００７０】
届出者の識別番号（Ｎｏ．）の欄には、届出者（拾得物の届出者と遺失物の届出者とを含む）の識別番号が設定される。
氏名の欄には、届出者の氏名が設定される。なお、届出者が法人や個人商店などの場合に企業名や商店名が設定される。
【００７１】
電話番号の欄には、届出者の電話場号が設定される。
Ｅ−ｍａｉｌアドレスの欄には、届出者の電子メールアドレスが設定される。
住所の欄には、届出者の住所が設定される。
【００７２】
地図情報の欄には、届出者の所在地までの地図を表す画像データの名前が設定される。
ＰＲ情報の欄には、届出者のＰＲを示す情報が設定される。ＰＲ情報の欄には、ＰＲの文字を設定してもよいし、バナー広告の画像データの名前を設定してもよい。
【００７３】
図８は、加盟店情報ＤＢのデータ構造例を示す図である。加盟店情報ＤＢ１４０には、加盟店の識別番号（Ｎｏ．）、店名、住所、電話番号、Ｅ−ｍａｉｌアドレス、バナー広告、ワンポイントＰＲ、商品券情報、拾得物情報などの欄が設けられている。
【００７４】
識別番号（Ｎｏ．）の欄には、加盟店の識別番号が設定される。
店名の欄には、加盟店の名称が設定される。
住所の欄には、加盟店の住所が設定される。
【００７５】
電話番号の欄には、加盟店の電話番号が設定される。
Ｅ−ｍａｉｌアドレスの欄には、加盟店の電子メールアドレスが設定される。
バナー広告の欄には、加盟店または加盟店で販売する商品やサービスを紹介するバナー広告の画像データ名が設定される。
【００７６】
ワンポイントＰＲの欄には、加盟店または加盟店で販売する商品やサービスを紹介する文が設定される。
商品券情報の欄には、加盟店で発行している商品の情報が設定される。たとえば、商品券情報として、商品券の発行枚数、使用状況、在庫数などである。
【００７７】
拾得物情報の欄には、加盟店で保管している拾得物の情報が設定される。
以上のような構成のシステムによって、遺失物や拾得物の情報が管理される。以下、遺失物届出、拾得物届出の各処理について、具体的に説明する。
【００７８】
図９は、遺失物届出処理の手順を示すフローチャートである。以下、図９に示す処理をステップ番号に沿って説明する。
［ステップＳ１１］遺失者は、端末装置２０３を用いて遺失物届出内容を入力する。入力された内容は、拾得物情報管理サーバ１００に送られ、遺失物届出処理部１５０により、遺失物情報ＤＢ１１０に格納される。
【００７９】
［ステップＳ１２］遺失者は、画像の有無を判断する。画像がある場合、処理がステップＳ１３に進められる。画像がない場合、処理がステップＳ１４に進められる。
【００８０】
［ステップＳ１３］遺失者は、端末装置２０３を用いて画像データを拾得物情報管理サーバ１００に送信する。これにより遺失物の画像データが拾得物情報管理サーバ１００内に格納され、遺失物届出処理部１５０により、画像データの名前が遺失物情報ＤＢ１１０の特定情報（公開）内の画像の欄に設定される。
【００８１】
［ステップＳ１４］遺失者は、ステップＳ１１において入力した内容に基づく拾得物情報の検索要求を、端末装置２０３に対して行う。すると、端末装置２０３から拾得物情報管理サーバ１００へ検索要求が送信され、拾得物情報管理サーバ１００の整合性判定部１８０において拾得物情報ＤＢ１２０の検索が行われる。
【００８２】
［ステップＳ１５］拾得物情報管理サーバ１００の整合性判定部１８０は、類似情報の有無を判断する。類似情報が有る場合、処理がステップＳ１６に進められる。類似情報がない場合、処理がステップＳ２３に進められる。
【００８３】
［ステップＳ１６］整合性判定部１８０は、類似する拾得物情報の一覧情報を、端末装置２０３に送信する。すると、類似する拾得物情報の一覧が、端末装置２０３に表示される。
【００８４】
［ステップＳ１７］遺失者は、端末装置２０３の画面を参照し、自身の落とした物と思われる拾得物情報を、端末装置２０３を用いて選択する。遺失者により拾得物情報が選択された場合には、処理がステップＳ１８に進められる。拾得物情報が選択されなかった場合には、処理がステップＳ２３に進められる。
【００８５】
［ステップＳ１８］端末装置２０３は、遺失者により選択された拾得物情報の詳細な内容を拾得物情報管理サーバ１００に要求する。すると、拾得物情報管理サーバ１００の情報公開部１７０が、選択された拾得物情報の内容（公開可能な内容に限る）を拾得物情報ＤＢ１２０から取り出し、端末装置２０３に送信する。すると、端末装置２０３において、選択された拾得物情報の内容が画面表示される。
【００８６】
［ステップＳ１９］端末装置２０３は、選択された拾得物情報と、遺失者が紛失した遺失物との合致を確認するための入力画面を表示する。その入力画面に応じて、遺失者が端末装置２０３へ特定情報を入力する。なお、この特定情報入力処理の詳細は後述する。
【００８７】
［ステップＳ２０］端末装置２０３に入力された特定情報は、端末装置２０３から拾得物情報管理サーバ１００に送られる。拾得物情報管理サーバ１００の整合性判定部１８０は、端末装置２０３から送られた特定情報に基づいて、選択された拾得物情報と、端末装置２０３を操作する遺失者の遺失物とが合致するかどうかをチェックする。
【００８８】
［ステップＳ２１］整合性判定部１８０は、合致チェックの結果を端末装置２０３に送信する。端末装置２０３では、チェック結果を表示する。表示されるチェック結果には、たとえば、合致／非合致を示す情報、合致する場合には保管場所、保管場所が加盟店の場合には、その加盟店のＰＲ情報が含まれる。
【００８９】
［ステップＳ２２］端末装置２０３は、合致チェックの結果が、合致か非合致かを判断する。合致であれば処理がステップＳ２３に進められる。非合致であれば、処理がステップＳ１６に進められる。
【００９０】
［ステップＳ２３］端末装置２０３は、遺失物届出書をプリンタから印刷する。
このようにして、端末装置２０３を用いて、遺失物の届出が行われる。
【００９１】
次に、ステップＳ１９の特定情報入力処理の詳細について説明する。
図１０は、特定情報入力処理の詳細手順を示すフローチャートである。以下、図１０に示す処理をステップ番号に沿って説明する。
【００９２】
［ステップＳ３１］端末装置２０３は、選択された拾得物情報のダミー情報取得要求を拾得物情報管理サーバ１００に送信する。すると、拾得物情報管理サーバ１００の整合性判定部１８０が、選択した拾得物の特定情報を拾得物情報ＤＢ１２０から抽出する。
【００９３】
［ステップＳ３２］整合性判定部１８０は、特定情報数からダミー件数を算定する。
［ステップＳ３３］整合性判定部１８０は、類似拾得物の特定情報からダミーデータを抽出する。この際、重複するデータは排除される。
【００９４】
［ステップＳ３４］整合性判定部１８０は、ダミーデータの件数が十分か否かを判断する。十分か否かは、ステップＳ３２で算定した数以上になったか否かで判断する。ダミーデータの件数が十分であれば、処理がステップＳ３５に進められる。ダミーデータの件数が不足していれば、処理がステップＳ３３に進められ、別の類似拾得物の特定情報からダミーデータが抽出される。
【００９５】
［ステップＳ３５］整合性判定部１８０は、ダミーデータと選択された拾得物のデータとをランダムに並び替え、選択／入力画面データを作成する。そして、整合性判定部１８０は、作成した選択／入力画面データを端末装置２０３に送信する。すると、端末装置２０３において、選択／入力画面が表示される。
【００９６】
［ステップＳ３６］端末装置２０３は、遺失者から、特定情報の選択、および入力を受け付ける。
［ステップＳ３７］端末装置２０３は、選択、および入力された特定情報をメイン画面（図１４に示す拾得物情報および確認事項入力画面６０）にセットする。
【００９７】
［ステップＳ３８］端末装置２０３は、選択／入力画面を閉じる。その後、処理が図９のステップＳ２０に進められる。
以上のような手順で、遺失物の届出や、既に届出がされている拾得物情報からの遺失物の検索を行うことができる。以下に、遺失物の届出を端末装置２０３を用いて行う際に端末装置２０３に表示される画面例について説明する。
【００９８】
まず、遺失者が遺失物の届出をするために、端末装置２０３から拾得物情報管理サーバ１００にアクセスすると、端末装置には遺失物届出画面が表示される。
図１１は、遺失物届出画面の一例を示す図である。遺失物届出画面３０には、届出者情報表示部３１、遺失日時入力部３２、遺失場所入力部３３、遺失物名入力部３４、特徴情報入力部３５、画像登録部３６、特定情報入力部３７、および公開可否フラグ入力部３８が設けられている。
【００９９】
届出者情報表示部３１には、届出を行った遺失者の識別番号と氏名が表示される。図１１の例では、識別番号「ＣＸＸ１０５」、氏名「佐々木和夫」と表示されている。
【０１００】
遺失日時入力部３２は、遺失日時を入力するためのテキストボックスである。図１１の例では、遺失日時が「２００２年３月１日　１７時００分（０２．０３．０１　１７：００）」と入力されている。
【０１０１】
遺失場所入力部３３は、遺失場所を入力するためのテキストボックスである。図１１の例では、遺失場所が「青葉通り」と入力されている。
遺失物名入力部３４は、遺失物の名称を入力するためのテキストボックスである。図１１の例では、遺失物名が「カバン」と入力されている。
【０１０２】
特徴情報入力部３５は、遺失物の特徴を入力するためのテキストボックスである。特徴は、色、種類などの属性毎に入力することができる。図１１の例では、色「黒」、種類「セカンド」と入力されている。
【０１０３】
画像登録部３６は、遺失物の画像データを登録するための設定部である。
特定情報入力部３７は、遺失物の特定情報を入力するためのテキストボックスである。特定情報は、その情報の種別と内容との組で設定される。図１１の例では、種別「中身」、内容「鍵」と設定されている。また、特定情報には、それぞれ公開可否フラグ入力部３８が対応づけられている。公開可否フラグ入力部３８は、対応する特定情報を一般に公開する否かを示すフラグ（公開可否フラグ）の値を設定するためのチェックボックスである。公開可否フラグ入力部３８が選択されていれば（チェックマークが表示されている状態）、公開可否フラグが公開可であることを示す。
【０１０４】
なお、遺失物名入力部３４、特徴情報入力部３５、および特定情報入力部３７には、プルダウンメニューを開くためのボタン（図中、三角形で示している）が設けられており、そのボタンを押すと入力可能なデータのリストがプルダウンメニューで表示される。遺失者は、プルダウンメニューから該当するデータを選択することで、遺失物名入力部３４、特徴情報入力部３５、および特定情報入力部３７に必要事項を入力することができる。
【０１０５】
このような遺失物届出画面３０において必要項目が入力されると、入力された内容が拾得物情報管理サーバ１００に送信される。そして、拾得物情報管理サーバ１００において、入力内容に類似する遺失物情報が検索される。検索により類似する拾得物が検出されると、検索結果が拾得物情報管理サーバ１００から端末装置２０３に送られる。すると、端末装置２０３には、類似拾得物一覧画面が表示される。なお、類似する拾得物情報が無い場合には、遺失物届出画面３０が閉じ、遺失物届出書の印刷が行われる。
【０１０６】
図１２は、類似拾得物一覧画面の例を示す図である。類似拾得物一覧画面４０には、類似拾得物表示部４１と終了ボタン４２とが設けられている。
類似拾得物表示部４１には、遺失物届出画面３０により入力した遺失物情報に類似する拾得物情報が表示される。図１２の例では、拾得物の識別番号（Ｎｏ．）、特徴、拾得場所、画像などが表示されている。なお、各拾得物情報に対応づけて、選択部４１ａが設けられている。選択部４１ａは、表示されている拾得物情報の中で特定情報の合致／非合致の判定対象を選択するためのチェックボックスである。選択部４１ａが選択されている場合（チェックマークが表示されている状態）、対応する拾得物情報が合致／非合致の判定対象となる。
【０１０７】
終了ボタン４２は、類似拾得物一覧画面４０を閉じるためのボタンである。終了ボタン４２が押されたときに選択されている拾得物情報があれば、その拾得物情報の選択／入力画面に遷移する。終了ボタン４２が押されたときに選択されている拾得物情報が無ければ、類似拾得物一覧画面４０が閉じ、遺失物届出書の印刷が行われる。
【０１０８】
このような類似拾得物一覧画面４０が表示されたとき、遺失者は、自身の遺失物である可能性のある拾得物情報を選択する。たとえば、図１２の例では、複数のカバンが、類似拾得物として検出されているが、一方のカバン（整理番号「ＡＸＸ００１」）の拾得場所は「青葉通りＸＸデパート前」」であり、他方のカバン整理番号「ＡＸＸ００３」）の拾得場所は「青葉通りＸＸ交差点」」である。このとき、遺失者が、遺失物を紛失した当日「ＸＸデパート前」は通っているが、「ＸＸ交差点」は通っていない場合、整理番号「ＡＸＸ００１」のカバンの方が、遺失者の遺失物である可能性が高い。そこで、遺失者は整理番号「ＡＸＸ００１」の拾得物情報を選択して終了ボタン４２を押す。すると、端末装置２０３には、選択／入力画面が表示される。
【０１０９】
図１３は、選択／入力画面の一例を示す図である。選択／入力画面５０には、選択対象表示部５１が設けられている。選択対象表示部５１には、選択対象となる情報が表示される。図１３の例では、セカンドカバンの中身の選択対象物が表示されている。選択対象表示部５１に表示される内容は、選択された拾得物情報の特定情報に設定されている情報と、拾得物情報管理サーバ１００によって抽出されたダミーデータとを含んでいる。
【０１１０】
各選択対象物に対応づけて、選択部５１ａが設けられている。選択部５１ａは、対応する選択対象物を選択するためのチェックボックスである。また、選択対象表示部５１には、任意特定情報入力部５１ｂが設けられている。任意特定情報入力部５１ｂは、選択対象物として表示された物以外の物を特定情報とするときに、その物の名称を入力するためのテキストボックスである。
【０１１１】
選択／入力画面５０が表示されると、遺失者は、自身の紛失した遺失物が特定情報として適切な選択対象物を選択する。図１３の例であれば、紛失したセカンドカバンの中に入れてあった物を選択する。図１３の例では、煙草とライターとが選択されている。
【０１１２】
選択／入力画面５０で選択対象物が選択されると、端末装置２０３には、拾得物情報および確認事項入力画面が表示される。
図１４は、拾得物情報および確認事項入力画面の一例を示す図である。拾得物情報および確認事項入力画面６０には、拾得物情報表示部６１、拾得物画像表示部６２、特定情報入力部６３、公開可否フラグ入力部６４が設けられている。
【０１１３】
拾得物情報表示部６１には、選択された拾得物情報の内容（非公開の情報を除く）が表示される。図１４の例では、拾得物情報の識別番号（Ｎｏ．）、名称、特徴情報、拾得場所、拾得日時などの情報が表示されている。
【０１１４】
拾得物画像表示部６２には、拾得物の拡大画像が表示される。
特定情報入力部６３は、遺失者が自己の遺失物の特定情報（確認事項）を入力するためのテキストボックスである。拾得物情報および確認事項入力画面６０が開いたときには、選択／入力画面５０で選択された選択対象物が、特定情報入力部６３に既に設定されている。図１４の例では、煙草、ライターなどが設定されている。なお、特定情報入力部６３の各入力項目の横には、プルダウンメニューを開くためのボタン（図中、三角形で示している）が設けられており、そのボタンを押すと入力可能なデータのリストがプルダウンメニューで表示される。遺失者は、プルダウンメニューから該当するデータを選択することで、特定情報入力部６３に必要事項を入力することができる。
【０１１５】
公開可否フラグ入力部６４では、特定情報入力部６３の各入力項目に対応づけて、チェックボックスが設けられている。チェックボックスは、対応する特定情報の公開／非公開を設定するフラグ（公開可否フラグ）を表している。チェックボックスが選択されていれば、対応する特定情報が公開可であることを示している。
【０１１６】
拾得物情報および確認事項入力画面６０に必要事項が設定されると、その情報に基づいて、拾得物情報管理サーバ１００の整合性判定部１８０により、合致の有無が判定される。判定結果は、拾得物情報管理サーバ１００から端末装置２０３に送られる。すると、端末装置２０３の画面には、合致チェック結果画面が表示される。
【０１１７】
図１５は、合致チェック結果画面の一例を示す図である。合致チェック結果画面７０には、チェック結果表示部７１、保管場所表示部７２、保管場所地図表示部７３、およびＰＲ情報表示部７４が設けられている。
【０１１８】
チェック結果表示部７１には、合致の有無が表示される。図１５の例では「合致」と表示されている。
保管場所表示部７２には、チェック結果が「合致」の場合にのみ、拾得物が現在保管されている場所が表示される。たとえば、交番２２に届けられて、まだ遺失物保管センタ２１に移送される前であれば、届けられた交番２２の電話番号、住所などが表示される。
【０１１９】
保管場所地図表示部７３には、チェック結果が「合致」の場合にのみ、拾得物が現在保管されている場所への地図画像が表示される。
ＰＲ情報表示部７４には、チェック結果が「合致」であり、拾得物の保管場所においてＰＲ情報を設定している場合には、そのＰＲ情報が表示される。たとえば、保管場所が交番であれば、交通安全の呼びかけをＰＲ情報表示部７４において行うことができる。また、保管場所が商店であれば、特売品情報をＰＲ情報表示部７４に表示させることができる。
【０１２０】
遺失者は、合致チェック結果画面７０を確認し、類似拾得物一覧画面４０において選択した拾得物が、自己の紛失した遺失物と合致したか否かを認識することができる。非合致で有れば、遺失者は、端末装置２０３において類似拾得物一覧画面４０に戻り、別の拾得物を選択して、合致／非合致の判定を拾得物情報管理サーバ１００に依頼することができる。
【０１２１】
遺失物届出、および拾得物の合致／非合致の判定に関する一連の処理が終了したら、端末装置２０３に接続されたプリンタから遺失物届出書が印刷される。具体的には、遺失物届出後、類似拾得物が検出されなかった場合、類似拾得物から遺失物に合致する拾得物を見つけだした場合、および類似拾得物内に遺失物に該当しそうな拾得物が見つからなかった場合に、遺失物届出書の印刷が行われる。
【０１２２】
図１６は、遺失物届出書の一例を示す図である。遺失物届出書８０は、遺失物の届出を行ったことを証明する書面である。遺失物届出書８０には、遺失物情報表示部８１と保管場所情報表示部８２とが設けられている。
【０１２３】
遺失物情報表示部８１には、遺失者が入力した遺失物情報が印刷される。たとえば、遺失物情報表示部８１には、届出者、遺失日時、遺失場所、遺失物名などが印刷される。
【０１２４】
保管場所情報表示部８２には、合致チェックの結果、合致した拾得物があった場合に、その拾得物を保管している保管場所の情報が印刷される。なお、保管場所においてＰＲ情報を設定している場合には、保管場所情報表示部８２内にＰＲ情報も合わせて印刷される。
【０１２５】
以上のようにして、遺失者による端末装置２０３を用いた遺失物の届出が行われる。本実施の形態では、インターネット１０に接続された端末装置２０３により遺失物の届出が可能であるため、持ち物の遺失に気がついたときに、すぐに遺失物の届出を行うことができる。
【０１２６】
次に、拾得者による拾得物の届出処理について説明する。
図１７は、拾得物届出処理の手順を示すフローチャートである。以下、図１７に示す処理をステップ番号に沿って説明する。
【０１２７】
［ステップＳ４１］拾得者は、端末装置２０４を用いて拾得物届出内容を入力する。入力された内容は、拾得物情報管理サーバ１００に送られ、拾得物届出処理部１６０により、拾得物情報ＤＢ１２０に格納される。
【０１２８】
［ステップＳ４２］拾得者は、画像の有無を判断する。画像がある場合、処理がステップＳ４３に進められる。画像がない場合、処理がステップＳ４４に進められる。
【０１２９】
［ステップＳ４３］拾得者は、端末装置２０４を用いて画像データを拾得物情報管理サーバ１００に送信する。これにより拾得物の画像データが拾得物情報管理サーバ１００内に格納され、拾得物届出処理部１６０により、画像データの名前が拾得物情報ＤＢ１２０の特定情報（公開）内の画像の欄に設定される。
【０１３０】
［ステップＳ４４］拾得者は、ステップＳ４１において入力した内容に基づく遺失物情報の検索要求を、端末装置２０４に対して行う。すると、端末装置２０４から拾得物情報管理サーバ１００へ検索要求が送信され、拾得物情報管理サーバ１００の整合性判定部１８０において遺失物情報ＤＢ１１０の検索が行われる。
【０１３１】
［ステップＳ４５］拾得物情報管理サーバ１００の整合性判定部１８０は、類似情報の有無を判断する。類似情報が有る場合、処理がステップＳ４６に進められる。類似情報がない場合、処理がステップＳ５４に進められる。
【０１３２】
［ステップＳ４６］整合性判定部１８０は、類似する遺失物情報の一覧情報を、端末装置２０４に送信する。すると、類似する遺失物情報の一覧が、端末装置２０４に表示される。
【０１３３】
［ステップＳ４７］拾得者は、端末装置２０４の画面を参照し、自身の拾った物と思われる遺失物情報を、端末装置２０４を用いて選択する。拾得者により遺失物情報が選択された場合には、処理がステップＳ４８に進められる。遺失物情報が選択されなかった場合には、処理がステップＳ５４に進められる。
【０１３４】
［ステップＳ４８］端末装置２０４は、拾得者により選択された遺失物情報の詳細な内容を拾得物情報管理サーバ１００に要求する。すると、拾得物情報管理サーバ１００の情報公開部１７０が、選択された遺失物情報の内容（公開可能な内容に限る）を遺失物情報ＤＢ１１０から取り出し、端末装置２０４に送信する。すると、端末装置２０４において、選択された遺失物情報の内容が画面表示される。
【０１３５】
［ステップＳ４９］端末装置２０４は、選択された遺失物情報と、拾得者が拾得した拾得物との合致を確認するための入力画面を表示する。その入力画面に応じて、拾得者が端末装置２０４へ特定情報を入力する。なお、この処理の詳細は、図１０に示した特定情報入力処理と同様である。
【０１３６】
［ステップＳ５０］端末装置２０４に入力された特定情報は、端末装置２０４から拾得物情報管理サーバ１００に送られる。拾得物情報管理サーバ１００の整合性判定部１８０は、端末装置２０４から送られた特定情報に基づいて、選択された遺失物情報と、端末装置２０４を操作する遺失者の遺失物とが合致するかどうかをチェックする。
【０１３７】
［ステップＳ５１］整合性判定部１８０は、合致チェックの結果を端末装置２０４に送信する。端末装置２０４では、チェック結果を表示する。表示されるチェック結果には、たとえば、合致／非合致を示す情報、合致する場合には保管場所、保管場所が加盟店の場合には、その加盟店のＰＲ情報が含まれる。
【０１３８】
［ステップＳ５２］端末装置２０４は、合致チェックの結果が、合致か非合致かを判断する。合致であれば処理がステップＳ５３に進められる。非合致であれば、処理がステップＳ４６に進められる。
【０１３９】
［ステップＳ５３］整合性判定部１８０は、遺失者に合致情報を通知する。たとえば、整合性判定部１８０は、遺失者の登録した遺失物情報に合致する拾得物情報が登録されたことを、電子メールによって遺失者に通知する。
【０１４０】
［ステップＳ５４］端末装置２０４は、拾得物届出書をプリンタから印刷する。
このようにして、端末装置２０４を用いて、拾得物の届出が行われる。本実施の形態によれば、インターネット１０に接続された任意の端末装置から拾得物の届出を行うことができるため、届出を迅速に行うことができる。しかも、拾得物届出書を添えて、拾得物を交番に届ければ、交番において込み入った質問に答えずにすみ、届出の際の手間も少なくなる。
【０１４１】
また、本実施の形態では、加盟店２５においても拾得物を一時的に預かることができる。したがって、拾得者は、拾得場所の近くの加盟店において、拾得物の届出を行うことができる。この際、加盟店では、拾得物情報に店のＰＲ情報などを含めることで、拾得物を預かることによる手間の増加を、商品の売り上げ増加に結びつけることができる。
【０１４２】
図１８は、加盟店経由の拾得物登録処理の概念図である。図中、ネットワーク経由で情報の受け渡しを実線で示し、人手による物品等の受け渡しを点線で示している。
【０１４３】
まず、落とし物を拾った拾得者４０１は、近くの加盟店２５にその落とし物を届け出る（ステップＳ１０１）。その際、拾得者４０１は、謝礼を商品券などで受け取る（ステップＳ１０２）。拾得者４０１への謝礼は、たとえば、５０円〜１００円程度の商品券でもよいし、加盟店２５の割引券や優待券でもよい。
【０１４４】
加盟店２５では、端末装置２０５を用いて拾得物情報管理サーバ１００にアクセスし、拾得物情報を登録する（ステップＳ１０３）。この際、ディジタルカメラなどで撮影した拾得物の画像を、画像データとして拾得物情報管理サーバ１００に転送することもできる。拾得物情報は、拾得物情報管理サーバ１００の拾得物届出処理部１６０により、拾得物情報ＤＢ１２０に格納される。
【０１４５】
落とし物をした遺失者４０２は、遺失者宅２３の端末装置２０３を用いて、拾得物情報管理サーバ１００にアクセスし、拾得物およびその拾得物を預かっている加盟店のバナー広告を参照する（ステップＳ１０４）。そこで、遺失者４０２が紛失した拾得物（遺失者４０２にとっての遺失物）を見つけたら、遺失者４０２は、遺失物を預かっている加盟店２５に出向き、遺失物を受け取る。その際、拾得者４０１への謝礼の代わりに、加盟店２５において買い物をする（ステップＳ１０５）。買い物は、たとえば、商品の購入、飲食、または商店街共通の商品券の購入である。
【０１４６】
加盟店２５では、拾得物の引渡が完了すると、端末装置２０５を用いて拾得物情報管理サーバ１００にアクセスし、引渡の処置の結果を登録する（ステップＳ１０６）。
【０１４７】
このように、拾得者４０１が拾得物を加盟店２５に届け出ることができれば、拾得物の届出を迅速に行うことができる。しかも、拾得物情報をインターネットを通じて公開すれば、遺失者４０２は、遺失物が届けられたことをすぐに知ることができる。
【０１４８】
なお、加盟店２５から登録された拾得物情報には、図６に示した拾得物情報以外に、加盟店固有情報が付加登録される。
図１９は、拾得物ＤＢに付加された加盟店固有情報の例を示す図である。図１９に示すように、拾得物が加盟店２５に持ち込まれ、加盟店２５の端末装置２０５で拾得物情報が登録された場合、拾得物情報ＤＢ１２０には、拾得物情報に加え加盟店固有情報が登録される。
【０１４９】
加盟店固有情報は、大別して登録、商品券使用、処理の欄が設けられている。登録の欄は、加盟店固有の情報が登録される。登録の欄は、店番号（Ｎｏ．）、担当、場所、コメントの欄に分かれている。店番号（Ｎｏ．）の欄には、加盟店の識別番号が設定される。担当の欄には、加盟店における拾得物管理担当者の識別番号が設定される。場所の欄には、加盟店の場所を基準にした拾得場所が設定される。たとえば、場所の欄には、「店内」や「付近（加盟店付近）」などの情報が設定される。コメントの欄には、拾得物を紛失した遺失者に向けた任意のメッセージが設定される。図１９の例では「ご来店をお待ちしています。」、「１８時開店。日曜日は定休日です」といったコメントが設定されている。
【０１５０】
商品券使用の欄には、商品券の使用の可否が設定される。
処置の欄には、預かった拾得物の処置状況が設定される。処置の欄は、内容、日時、コメント、および画像の欄に分かれている。内容の欄には、拾得物の現在の処理状況が設定される。たとえば、「保管（加盟店で保管していることを示す）」、「引き渡し（遺失者に引き渡したことを示す）」、「移管（交番等の公的な機関に管理を移管したことを示す）」なとの情報が設定される。日時の欄には、拾得物の処置が行われた日時が設定される。コメントの欄には、処置内容に関する補足事項が設定される。たとえば、移管された拾得物に対して、移管先の名称（たとえば、「国分町交番」）が設定されたり、引き渡された拾得物に対して、引き渡し時に提供された謝礼内容（たとえば、「商品券購入１，０００円」）が設定されたりする。画像の欄には、商品の引き渡しを証明する画像データの名称などが設定される。
【０１５１】
このような加盟店固有情報の登録は、たとえば、加盟店２５の端末装置２０５からの拾得物情報登録と同時に行われる。
図２０は、拾得物登録画面の一例を示す図である。拾得物登録画面９０には、登録店入力部９１、拾得物名入力部９２、拾得場所入力部９３、任意メッセージ入力部９４、画像登録部９５、バナー広告設定部９６、およびワンポイントＰＲ入力部９７が設けられている。
【０１５２】
登録店入力部９１は、拾得物の登録を行う店舗の識別番号や店舗名などの入力届出を行った遺失者の識別番号と氏名が表示される。図２０の例では、識別番号「Ａ０１００　　スナック富士」と表示されている。
【０１５３】
拾得物名入力部９２は、拾得物の名称を入力するためのテキストボックスである。図２０の例では、拾得物名「カバン」と入力されている。
拾得場所入力部９３は、拾得場所を入力するためのテキストボックスである。図２０の例では、拾得場所「店内」と入力されている。
【０１５４】
任意メッセージ入力部９４は、遺失者へのメッセージを入力するためのテキストボックスである。図２０の例では「１８時開店、日曜は定休日です。」と入力されている。
【０１５５】
画像登録部９５は、拾得物の画像を登録するための設定領域である。
バナー広告設定部９６は、加盟店のバナー広告を登録するための設定領域である。
【０１５６】
ワンポイントＰＲ入力部９７は、加盟店からのＰＲ情報を入力するためのテキストボックスである。図２０の例では「４／１〜４／３０　フレッシュマンセット　２千円」と入力されている。なお、拾得物登録画面９０が表示された直後は、ワンポイントＰＲ入力部９７には、同一加盟店において前回の拾得物登録の際に登録された内容が表示される。加盟店では、初期状態で表示されたワンポイントＰＲを必要に応じて書き換える。
【０１５７】
なお、図２０の例では、拾得物に関する情報の入力項目として、主な情報（拾得物名や場所）の入力項目しか示していないが、図１１に示した遺失物届出画面３０と同様に、特徴情報（公開）、特定情報（非公開）、拾得日時などの入力も行われる。
【０１５８】
また、登録店入力部９１、拾得物名入力部９２、拾得場所入力部９３、および任意メッセージ入力部９４には、プルダウンメニューを開くためのボタン（図中、三角形で示している）が設けられており、そのボタンを押すと入力可能なデータのリストがプルダウンメニューで表示される。加盟店の担当者は、プルダウンメニューから該当するデータを選択することで、登録店入力部９１、拾得物名入力部９２、拾得場所入力部９３、および任意メッセージ入力部９４に必要事項を入力することができる。たとえば、任意メッセージ入力部９４では、ボタンを押すと、過去のコメントの履歴が表示され、その中から所望のコメントを選択することができる。
【０１５９】
このようにして、拾得物情報と共に加盟店固有情報を登録することにより、拾得物情報を参照する遺失者等に対して、加盟店のバナー広告を閲覧させることができる。
【０１６０】
図２１は、拾得物一覧画面の一例を示す図である。図２１の例は、名称が「カバン」、拾得日が「２００２年３月２０日（０２−０３−２０）」以後、場所が「国分町」である拾得物の一覧を表示させたものである。拾得物一覧画面３１０には、拾得物一覧表示部３１１、バナー広告表示部３１２、および注意事項表示部３１３がある。
【０１６１】
拾得物一覧表示部３１１は、指定された条件に合致した拾得物の一覧が表示される。拾得物一覧表示部３１１には、拾得物の画像（縮小画像）が表示されており、その画像に対応づけて保管場所と拾得場所とが表示されている。保管場所と拾得場所との表示領域内には、遺失者に対するコメントも合わせて表示される。なお、縮小画像をクリックする（マウスカーソルで指し示してマウスのボタンを押す）と、拾得物の拡大画像が表示される。また、店名をクリックすると、その加盟店の拡大バナー広告が表示される。
【０１６２】
バナー広告表示部３１２には、拾得物を保管している加盟店のバナー広告が表示される。なお、バナー広告の表示頻度や表示期間は、各バナー広告を提供している加盟店の貢献度（拾得登録数や処置入力数）に応じて制御することができる。すなわち、貢献度が大きい加盟店のバナー広告を優先的に表示するようにする。また、バナー広告は、照会した地域（図２１の例では「国分町」）の店に限定してもよい。
【０１６３】
注意事項表示部３１３には、遺失者が拾得物（遺失者にとっての遺失物）を引き取る際の注意事項が表示されている。注意事項表示部３１３は、たとえば、店では言いにくい遺失者への要望を、予めウェブサイトで明言するために使用することができる。
【０１６４】
遺失者は、このような拾得物一覧画面３１０において拾得物を確認し、自身の紛失した遺失物を見つけだしたら、遺失物を保管している加盟店２５に遺失物届出書を持参する。そして、遺失者は、加盟店２５において所定の買い物等を行い、加盟店２５から遺失物の引き渡しを受ける。
【０１６５】
加盟店２５では、預かっていた拾得物（遺失者にとっての遺失物）を遺失者に引き渡したら、端末装置２０５を用いて拾得物情報管理サーバ１００へ処置を入力する。
【０１６６】
図２２は、拾得物処置入力画面の一例を示す図である。拾得物処置入力画面３２０には、加盟店表示部３２１、処置内容入力部３２２、およびバナー広告表示部３２３が設けられている。
【０１６７】
加盟店表示部３２１には、拾得物の処理入力を行う加盟店の情報が表示されている。たとえば、加盟店表示部３２１には、加盟店の識別番号「Ａ０１０」や加盟店の名称「スナック富士」が表示されている。
【０１６８】
処置内容入力部３２２は、加盟店２５で預かっている拾得物の処置結果の入力領域である。処置内容入力部３２２には、登録日、名称、画像、処置内容、およびコメントの欄が設けられている。登録日の欄には、加盟店２５で預かっている拾得物が登録された日が表示されている。名称の欄には、拾得物の名称が表示されている。画像の欄には、拾得物の画像が表示されている。処置内容の欄には、拾得物の処置内容を入力することができる。たとえば、拾得物を交番に移管した場合には、「移管」と入力される。コメントの欄には、処置内容に関する追加コメントが入力される。
【０１６９】
また、処置内容入力部３２２の処置内容の欄とコメントの欄とには、プルダウンメニューを開くためのボタン（図中、三角形で示している）が設けられており、そのボタンを押すと入力可能なデータのリストがプルダウンメニューで表示される。加盟店の担当者は、プルダウンメニューから該当するデータを選択することで、処置内容の欄とコメントの欄とに必要事項を入力することができる。
【０１７０】
バナー広告表示部３２３には、バナー広告が表示される。図２２の例では、バナー広告として、ワンポイントＰＲの内容が表示されている。
このように加盟店で拾得物を預かり、拾得者に対してすぐに謝礼を渡すことで、拾得物の届出が促進される。そして、拾得物情報をインターネット等によって公開することで、遺失者は早期に高い確率で遺失物を受け取ることができる。
【０１７１】
しかも、拾得物情報のうち特定情報については公開しないため、遺失者なりすましによる不正行為を防止することができる。遺失者なりすましが防止されることで、拾得物が正当な遺失者の手元に戻る可能性が高くなる。
【０１７２】
また、遺失者からの遺失物情報の入力内容と拾得物情報の特定情報との整合性を判断するようにしたため、遺失物の届出時に拾得物との一致確認ができ、引き渡し時に、拾得物の正当な持ち主かどうかの確認をせずにすみ、引き渡しが迅速に行われる。
【０１７３】
また、遺失物届出後に、類似する拾得物の届出が行われた場合、遺失者に連絡するようにしたため、遺失者は、拾得物情報の内容を監視していなくても、早期に遺失物が届けられたことを知ることができる。
【０１７４】
また、遺失物情報を公開することで、遺失者が遺失物を探していることを世間に告知することができる。その結果、一見価値の無いような物であるが、遺失者にとっては大切な物を紛失した場合であっても、その物を拾った拾得者に、早期に届け出てもらうことが可能となる。
【０１７５】
また、商店街の各商店が加盟店となっていれば、交番まで行かなくても拾得物の届出をして、加盟店に預けることができ、拾得物届出の手続きが短縮される。
また、拾得物の届出を行ってから、所定期間（日本では６ヶ月）遺失者が現れない場合には、拾得者にその旨を通知するようにしたため、拾得物を貰う権利を得た拾得者は、確実にその拾得物を引き取ることができる。
【０１７６】
また、拾得者が加盟店に拾得物を届けた場合、その場で謝礼を渡すようにしたため、拾得物の届出が促進される。その結果、遺失者は、早期に高い確率で遺失物を受け取ることができる。
【０１７７】
また、加盟店では、拾得物を預かることによって拾得物情報と共にバナー広告を優先的に出すことができ、宣伝効果を得ることができるとともに、イメージアップが期待できる。しかも、遺失者が加盟店に遺失物を取りに来ることにより、加盟店、あるいは加盟店の周辺地域や商店街の集客増による商取引を活性化させることができる。
【０１７８】
さらに、拾得物の処置情報がウェブページなどで公開されることで、遺失者は、遺失物が現在どこに保管されているのかを、インターネット経由で知ることができる。
【０１７９】
ところで、上記の実施の形態では、遺失者が遺失物の特定情報を入力する際に、広い概念の語句で入力された特定情報から具体的な概念の語句による特定情報へと、階層的に選択させることができる。そのためには、拾得物情報管理サーバ１００に、予め物品特定情報を格納する。
【０１８０】
図２３は、物品特定情報のデータ構造例を示す図である。物品特定情報４１０には、物品名、特定項目、および特定情報の欄が設けられている。
物品名の欄には、特定情報として入力される広い概念の物品名（物品の一般名称）が設定されている。たとえば、「ライター」や「煙草」などである。
【０１８１】
特定項目の欄には、物品名で指定された特定情報を具体的に特定するための項目の識別番号と名称とが設定されている。たとえば、物品名「ライター」に対して、「１　種類」、「２　色」などで設定されている。
【０１８２】
特定情報の欄には、特定項目に対応する選択肢が設定されている。たとえば、物品名「ライター」、特定項目「１　種類」の特定情報として、「使い捨て」、「ガス注入」、「オイル」などが設定されている。
【０１８３】
このような物品特定情報を参照して、拾得物情報管理サーバ１００が特定情報の選択肢を端末装置２３０に提供することで、端末装置２０３を使用する遺失者は、階層的に特定情報の具体化の作業を行うことができる。
【０１８４】
図２４は、特定情報具体化処理の手順を示すフローチャートである。以下、図２４に示す処理をステップ番号に沿って説明する。
［ステップＳ２０１］端末装置２０３は、拾得物情報管理サーバ１００にアクセスし、特定情報入力画面を表示する。
【０１８５】
［ステップＳ２０２］拾得物情報管理サーバ１００は、物品特定情報４１０を参照し、入力／選択された物品名から特定項目のＮｏ．１の特定情報レコード（該当する特定項目に対応する特定情報の欄の各データ）を取得し、メニュー内容として端末装置２０３に送信する。
【０１８６】
［ステップＳ２０３］端末装置２０３は、下位の特定情報入力フィールドに選択メニューを設定する。
［ステップＳ２０４］端末装置２０３は、画面上で物品名が指定されると、その物品に対応する特定情報の選択メニューを表示する。そして、端末装置２０３は、選択メニュー内から選択メニューの選択入力を受け付ける。端末装置２０３は、選択された特定情報の内容を画面に設定するとともに、拾得物情報管理サーバ１００に送信する。
【０１８７】
［ステップＳ２０５］拾得物情報管理サーバ１００は、下位（識別番号が次の順番）の特定項目があるか否かを判断する。下位の特定項目があれば処理がステップＳ２０６に進められる。下位の特定項目がなければ、処理が終了する。
【０１８８】
［ステップＳ２０６］拾得物情報管理サーバ１００は、物品特定情報４１０から下位の特定項目の特定情報レコードを取得し、端末装置２０３に送信する。その後、処理がステップＳ２０３に進められる。
【０１８９】
図２５は、特定情報の具体化を行うことができる特定情報入力画面の一例を示す図である。特定情報入力画面４２０には、拾得物情報表示部４２１、拾得物画像表示部４２２、特定情報入力部４２３、公開可否フラグ入力部４２４が設けられている。
【０１９０】
拾得物情報表示部４２１には、選択された拾得物情報の内容（非公開の情報を除く）が表示される。図２５の例では、拾得物情報の識別番号（Ｎｏ．）、名称、特徴情報、拾得場所、拾得日時などの情報が表示されている。
【０１９１】
拾得物画像表示部４２２には、拾得物の拡大画像が表示される。
特定情報入力部４２３は、遺失者が自己の遺失物の特定情報（確認事項）を入力するためのテキストボックスである。図２５の例では、煙草、ライターなどの物品名が設定されている。
【０１９２】
また、特定情報入力部４２３は、物品名に並べて、具体的な特定情報の入力項目が設けられている。具体的な特定情報の入力項目の横には、プルダウンメニュー４２３ａを開くためのボタン（図中、三角形で示している）が設けられており、そのボタンを押すと入力可能な特定情報のリストがプルダウンメニュー４２３ａで表示される。遺失者は、プルダウンメニュー４２３ａから該当する特定情報を選択することで、特定情報の入力項目に必要事項を入力することができる。図２５の例では、物品名「ライター」の具体的な特定情報を入力するためのプルダウンメニュー４２３ａに、「使い捨て」、「ガス注入」、「オイル」、「その他」などの特知情報が表示されている。
【０１９３】
公開可否フラグ入力部４２４では、特定情報入力部４２３の各入力項目に対応づけて、チェックボックスが設けられている。チェックボックスは、対応する特定情報の公開／非公開を設定するフラグ（公開可否フラグ）を表している。チェックボックスが選択されていれば、対応する特定情報が公開可であることを示している。
【０１９４】
このように、広い概念の物品名で特定情報が入力された場合に、その物品に関する具体的な特性（色や種別など）を遺失者に選択させることで、より正確な合致／非合致の判断をすることができる。
【０１９５】
なお、上記の処理機能は、クライアントサーバシステムのサーバコンピュータによって実現することができる。その場合、拾得物情報管理サーバ１００が有すべき機能の処理内容を記述したサーバプログラムが提供される。サーバコンピュータは、クライアントコンピュータからの要求に応答して、サーバプログラムを実行する。これにより、上記処理機能がサーバコンピュータ上で実現され、処理結果がクライアントコンピュータに提供される。
【０１９６】
処理内容を記述したサーバプログラムは、サーバコンピュータで読み取り可能な記録媒体に記録しておくことができる。サーバコンピュータで読み取り可能な記録媒体としては、磁気記録装置、光ディスク、光磁気記録媒体、半導体メモリなどがある。磁気記録装置には、ハードディスク装置（ＨＤＤ）、フレキシブルディスク（ＦＤ）、磁気テープなどがある。光ディスクには、ＤＶＤ（Ｄｉｇｉｔａｌ　Ｖｅｒｓａｔｉｌｅ　Ｄｉｓｃ）、ＤＶＤ−ＲＡＭ（Ｒａｎｄｏｍ　Ａｃｃｅｓｓ　Ｍｅｍｏｒｙ）、ＣＤ−ＲＯＭ（Ｃｏｍｐａｃｔ　Ｄｉｓｃ　Ｒｅａｄ　Ｏｎｌｙ　Ｍｅｍｏｒｙ）、ＣＤ−Ｒ（Ｒｅｃｏｒｄａｂｌｅ）／ＲＷ（ＲｅＷｒｉｔａｂｌｅ）などがある。光磁気記録媒体には、ＭＯ（Ｍａｇｎｅｔｏ−Ｏｐｔｉｃａｌ　ｄｉｓｃ）などがある。
【０１９７】
サーバプログラムを流通させる場合には、たとえば、そのサーバプログラムが記録されたＤＶＤ、ＣＤ−ＲＯＭなどの可搬型記録媒体が販売される。
サーバプログラムを実行するサーバコンピュータは、たとえば、可搬型記録媒体に記録されたサーバプログラムを、自己の記憶装置に格納する。そして、サーバコンピュータは、自己の記憶装置からサーバプログラムを読み取り、サーバプログラムに従った処理を実行する。なお、サーバコンピュータは、可搬型記録媒体から直接サーバプログラムを読み取り、そのサーバプログラムに従った処理を実行することもできる。
【０１９８】
（付記１）　拾得物に関する情報を管理する拾得物情報管理サーバにおいて、
第１の端末装置からネットワーク経由で拾得物に関する拾得物情報の入力を受け付け、前記拾得物情報の一部を非公開の特定情報として、前記拾得物情報を拾得物情報データベースに登録する拾得物届出処理手段と、
第２の端末装置から前記ネットワークを介して入力される前記拾得物情報の参照要求に応答して、前記拾得物情報データベースに登録されている前記拾得物情報を、前記特定情報を除いて前記第２の端末装置へ送信する情報公開手段と、
前記第２の端末装置から前記ネットワークを介して前記遺失物に関する遺失物情報の入力を受け付け、前記遺失物情報と前記拾得物情報データベース内の前記特定情報との整合性を判定し、前記第２の端末装置に対して判定結果を返す整合性判定手段と、
を有することを特徴とする拾得物情報管理サーバ。
【０１９９】
（付記２）　前記特定情報は、前記拾得物の中身に関する情報であることを特徴とする付記１記載の拾得物情報管理サーバ。
（付記３）　前記拾得物届出処理手段は、前記拾得物情報の入力を受け付けると共に、前記拾得者の連絡先を含む届出者情報を前記第１の端末装置から受け付けて届出者情報データベースに登録し、
前記整合性判定手段は、前記拾得物情報が登録されてから所定期間、前記拾得物情報に対して引き渡し済みの情報が設定されなかった場合、前記届出者情報に基づいて前記拾得者へ前記所定期間の経過を連絡することを特徴とする付記１記載の拾得物情報管理サーバ。
【０２００】
（付記４）　前記第２の端末装置から前記ネットワーク経由で遺失物に関する遺失物情報の入力を受け付け、前記遺失物情報の一部を非公開の特定情報として、前記遺失物情報を遺失物情報データベースに登録する遺失物届出処理手段を更に有し、
前記整合性判定手段は、前記遺失物情報データベース内の前記遺失物情報と前記拾得物情報データベース内の前記拾得物情報との整合性を判定することを特徴とする付記１記載の拾得物情報管理サーバ。
【０２０１】
（付記５）　前記遺失物届出処理手段は、前記遺失物情報の入力を受け付けると共に、前記遺失者の連絡先を含む届出者情報を前記第２の端末装置から受け付けて届出者情報データベースに登録し、
前記整合性判定手段は、前記遺失物情報登録後に前記拾得物情報データベースに登録された前記拾得物情報との整合性を判定し、前記遺失物情報と前記拾得部情報とが合致した場合、前記届出者情報に基づいて前記遺失者へ合致したことを連絡することを特徴とする付記４記載の拾得物情報管理サーバ。
【０２０２】
（付記６）　前記情報公開手段は、予め保持している広告情報を前記拾得物情報に付加して、前記第２の端末装置に送信することを特徴とする付記１記載の拾得物情報管理サーバ。
【０２０３】
（付記７）　前記情報公開手段は、前記拾得物情報データベースに格納されている前記拾得物情報から前記拾得物を保管している店舗の情報を取得し、前記店舗から提供された広告情報を前記第２の端末装置に送信することを特徴とする付記６記載の拾得物情報管理サーバ。
【０２０４】
（付記８）　前記整合性判定手段は、前記第２の端末装置へ前記特定情報とダミー情報とを混在させた特定情報候補を送信し、前記特定情報の選択入力を受け付けることを特徴とする付記１記載の拾得物情報管理サーバ。
【０２０５】
（付記９）　前記整合性判定手段は、前記遺失物情報と前記拾得物情報データベース内の前記特定情報とが合致した場合、合致した情報よりも具体的な概念の語句の入力要求を前記第２の端末装置に送信し、具体的な概念の語句での一致不一致により整合性を判定することを特徴とする付記１記載の拾得物情報管理サーバ。
【０２０６】
（付記１０）　拾得物に関する情報を管理する拾得物情報管理サーバにおいて、
第１の端末装置からネットワーク経由で拾得物の保管場所を含む拾得物情報の入力を受け付け、前記拾得物情報を拾得物情報データベースに登録する拾得物届出処理手段と、
第２の端末装置から前記ネットワークを介して入力される前記拾得物情報の参照要求に応答して、前記拾得物情報データベースに格納されている前記拾得物情報から前記拾得物を保管している店舗の情報を取得し、前記店舗から提供された広告情報と前記拾得物情報とを前記第２の端末装置へ送信する情報公開手段と、
を有することを特徴とする拾得物情報管理サーバ。
【０２０７】
（付記１１）　拾得物に関する情報を管理するための拾得物情報管理プログラムにおいて、
コンピュータに、
第１の端末装置からネットワーク経由で拾得物に関する拾得物情報の入力を受け付け、前記拾得物情報の一部を非公開の特定情報として、前記拾得物情報を拾得物情報データベースに登録し、
第２の端末装置から前記ネットワークを介して入力される前記拾得物情報の参照要求に応答して、前記拾得物情報データベースに登録されている前記拾得物情報を、前記特定情報を除いて前記第２の端末装置へ送信し、
前記第２の端末装置から前記ネットワークを介して前記遺失物に関する遺失物情報の入力を受け付け、前記遺失物情報と前記拾得物情報データベース内の前記特定情報との整合性を判定し、前記第２の端末装置に対して判定結果を返す、
処理を実行させることを特徴とする拾得物情報管理プログラム。
【０２０８】
（付記１２）　拾得物に関する情報を管理するための拾得物情報管理プログラムにおいて、
コンピュータに、
第１の端末装置からネットワーク経由で拾得物の保管場所を含む拾得物情報の入力を受け付け、前記拾得物情報を拾得物情報データベースに登録し、
第２の端末装置から前記ネットワークを介して入力される前記拾得物情報の参照要求に応答して、前記拾得物情報データベースに格納されている前記拾得物情報から前記拾得物を保管している店舗の情報を取得し、前記店舗から提供された広告情報と前記拾得物情報とを前記第２の端末装置へ送信する、
処理を実行させることを特徴とする拾得物情報管理プログラム。
【０２０９】
（付記１３）　拾得物に関する情報をコンピュータにより管理するための拾得物情報管理方法において、
第１の端末装置からネットワーク経由で拾得物に関する拾得物情報の入力を受け付け、前記拾得物情報の一部を非公開の特定情報として、前記拾得物情報を拾得物情報データベースに登録し、
第２の端末装置から前記ネットワークを介して入力される前記拾得物情報の参照要求に応答して、前記拾得物情報データベースに登録されている前記拾得物情報を、前記特定情報を除いて前記第２の端末装置へ送信し、
前記第２の端末装置から前記ネットワークを介して前記遺失物に関する遺失物情報の入力を受け付け、前記遺失物情報と前記拾得物情報データベース内の前記特定情報との整合性を判定し、前記第２の端末装置に対して判定結果を返す、
ことを特徴とする拾得物情報管理方法。
【０２１０】
（付記１４）　拾得物に関する情報をコンピュータにより管理するための拾得物情報管理方法において、
第１の端末装置からネットワーク経由で拾得物の保管場所を含む拾得物情報の入力を受け付け、前記拾得物情報を拾得物情報データベースに登録し、
第２の端末装置から前記ネットワークを介して入力される前記拾得物情報の参照要求に応答して、前記拾得物情報データベースに格納されている前記拾得物情報から前記拾得物を保管している店舗の情報を取得し、前記店舗から提供された広告情報と前記拾得物情報とを前記第２の端末装置へ送信する、
ことを特徴とする拾得物情報管理方法。
【０２１１】
（付記１５）　拾得物に関する情報を管理するための拾得物情報管理プログラムを記録したコンピュータ読み取り可能な記録媒体において、
前記コンピュータに、
第１の端末装置からネットワーク経由で拾得物に関する拾得物情報の入力を受け付け、前記拾得物情報の一部を非公開の特定情報として、前記拾得物情報を拾得物情報データベースに登録し、
第２の端末装置から前記ネットワークを介して入力される前記拾得物情報の参照要求に応答して、前記拾得物情報データベースに登録されている前記拾得物情報を、前記特定情報を除いて前記第２の端末装置へ送信し、
前記第２の端末装置から前記ネットワークを介して前記遺失物に関する遺失物情報の入力を受け付け、前記遺失物情報と前記拾得物情報データベース内の前記特定情報との整合性を判定し、前記第２の端末装置に対して判定結果を返す、
処理を実行させることを特徴とする拾得物情報管理プログラムを記録したコンピュータ読み取り可能な記録媒体。
【０２１２】
（付記１６）　拾得物に関する情報を管理するための拾得物情報管理プログラムを記録したコンピュータ読み取り可能な記録媒体において、
前記コンピュータに、
第１の端末装置からネットワーク経由で拾得物の保管場所を含む拾得物情報の入力を受け付け、前記拾得物情報を拾得物情報データベースに登録し、
第２の端末装置から前記ネットワークを介して入力される前記拾得物情報の参照要求に応答して、前記拾得物情報データベースに格納されている前記拾得物情報から前記拾得物を保管している店舗の情報を取得し、前記店舗から提供された広告情報と前記拾得物情報とを前記第２の端末装置へ送信する、
処理を実行させることを特徴とする拾得物情報管理プログラムを記録したコンピュータ読み取り可能な記録媒体。
【０２１３】
【発明の効果】
以上説明したように本発明の第１、第３、第４の態様では、拾得物情報の参照要求に応答して、特定情報を除いた拾得物情報を送信すると共に、入力された遺失物情報と拾得物情報の特定情報との整合性を判定するようにしたため、ネットワークを介した拾得物情報の参照を認めながらも、遺失者なりすまし等の不正行為を防止することができる。その結果、広域のネットワークを介した拾得物を参照することで、遺失者が自己の遺失物を早期に発見し、早期に受け取ることができる。
【０２１４】
また、本発明の第２の態様では、拾得物情報の参照要求に応答して、拾得物を保管している店舗から提供された広告情報と拾得物情報とを送信するようにしたため、店舗は、拾得物を預かることで宣伝効果を期待することができる。これにより、拾得物を預かることを許容する店舗が増加し、拾得者が拾得物を届け出るための負担が軽減される。その結果、落とし物が迅速に拾得物として届けられ、遺失者に早期に引き渡すことが可能となる。
【図面の簡単な説明】
【図１】実施の形態に適用される発明の概念図である。
【図２】本実施の形態のシステム構成例を示す図である。
【図３】拾得物情報管理サーバのハードウェア構成例を示す図である。
【図４】拾得物情報管理サーバの機能ブロック図である。
【図５】遺失物情報ＤＢのデータ構造例を示す図である。
【図６】拾得物情報ＤＢのデータ構造例を示す図である。
【図７】届出者情報ＤＢのデータ構造例を示す図である。
【図８】加盟店情報ＤＢのデータ構造例を示す図である。
【図９】遺失物届出処理の手順を示すフローチャートである。
【図１０】特定情報入力処理の詳細手順を示すフローチャートである。
【図１１】遺失物届出画面の一例を示す図である。
【図１２】類似拾得物一覧画面の例を示す図である。
【図１３】選択／入力画面の一例を示す図である。
【図１４】拾得物情報および確認事項入力画面の一例を示す図である。
【図１５】合致チェック結果画面の一例を示す図である。
【図１６】遺失物届出書の一例を示す図である。
【図１７】拾得物届出処理の手順を示すフローチャートである。
【図１８】加盟店経由の拾得物登録処理の概念図である。
【図１９】拾得物ＤＢに付加された加盟店固有情報の例を示す図である。
【図２０】拾得物登録画面の一例を示す図である。
【図２１】拾得物一覧画面の一例を示す図である。
【図２２】拾得物処置入力画面の一例を示す図である。
【図２３】物品特定情報のデータ構造例を示す図である。
【図２４】特定情報具体化処理の手順を示すフローチャートである。
【図２５】特定情報の具体化を行うことができる特定情報入力画面の一例を示す図である。
【符号の説明】
１　拾得物
２　拾得者
３　商店
４　第１の端末装置
５　拾得物情報管理サーバ
５ａ　拾得物情報データベース
５ｂ　拾得物届出処理手段
５ｃ　情報公開手段
５ｄ　整合性判定手段
６　遺失者
７　第２の端末装置
８　拾得物情報
９　遺失物情報
【図１】
2004030485.tif 000003
【図２】
2004030485.tif 000004
【図３】
2004030485.tif 000005
【図４】
2004030485.tif 000006
【図５】
2004030485.tif 000007
【図６】
2004030485.tif 000008
【図７】
2004030485.tif 000009
【図８】
2004030485.tif 000010
【図９】
2004030485.tif 000011
【図１０】
2004030485.tif 000012
【図１１】
2004030485.tif 000013
【図１２】
2004030485.tif 000014
【図１３】
2004030485.tif 000015
【図１４】
2004030485.tif 000016
【図１５】
2004030485.tif 000017
【図１６】
2004030485.tif 000018
【図１７】
2004030485.tif 000019
【図１８】
2004030485.tif 000020
【図１９】
2004030485.tif 000021
【図２０】
2004030485.tif 000022
【図２１】
2004030485.tif 000023
【図２２】
2004030485.tif 000024
【図２３】
2004030485.tif 000025
【図２４】
2004030485.tif 000026
【図２５】
2004030485.tif 000027
【手続補正書】
【提出日】平成15年6月12日(2003.6.12)
【手続補正１】
【補正対象書類名】明細書
【補正対象項目名】請求項１
【補正方法】変更
【補正の内容】
【請求項１】
拾得物に関する情報を管理する拾得物情報管理サーバにおいて、
第１の端末装置からネットワーク経由で拾得物に関する拾得物情報の入力を受け付け、前記拾得物情報の一部を非公開の特定情報として、前記拾得物情報を拾得物情報データベースに登録する拾得物届出処理手段と、
第２の端末装置から前記ネットワークを介して入力される前記拾得物情報の参照要求に応答して、前記拾得物情報データベースに登録されている前記拾得物情報を、前記特定情報を除いて前記第２の端末装置へ送信する情報公開手段と、
前記第２の端末装置から前記ネットワークを介して遺失物に関する遺失物情報の入力を受け付け、前記遺失物情報と前記拾得物情報データベース内の前記特定情報との整合性を判定し、前記第２の端末装置に対して判定結果を返す整合性判定手段と、
を有することを特徴とする拾得物情報管理サーバ。
【手続補正２】
【補正対象書類名】明細書
【補正対象項目名】請求項９
【補正方法】変更
【補正の内容】
【請求項９】
拾得物に関する情報を管理するための拾得物情報管理プログラムにおいて、
コンピュータに、
第１の端末装置からネットワーク経由で拾得物に関する拾得物情報の入力を受け付け、前記拾得物情報の一部を非公開の特定情報として、前記拾得物情報を拾得物情報データベースに登録し、
第２の端末装置から前記ネットワークを介して入力される前記拾得物情報の参照要求に応答して、前記拾得物情報データベースに登録されている前記拾得物情報を、前記特定情報を除いて前記第２の端末装置へ送信し、
前記第２の端末装置から前記ネットワークを介して遺失物に関する遺失物情報の入力を受け付け、前記遺失物情報と前記拾得物情報データベース内の前記特定情報との整合性を判定し、前記第２の端末装置に対して判定結果を返す、
処理を実行させることを特徴とする拾得物情報管理プログラム。
【手続補正３】
【補正対象書類名】明細書
【補正対象項目名】請求項１０
【補正方法】変更
【補正の内容】
【請求項１０】
拾得物に関する情報をコンピュータにより管理するための拾得物情報管理方法において、
第１の端末装置からネットワーク経由で拾得物に関する拾得物情報の入力を受け付け、前記拾得物情報の一部を非公開の特定情報として、前記拾得物情報を拾得物情報データベースに登録し、
第２の端末装置から前記ネットワークを介して入力される前記拾得物情報の参照要求に応答して、前記拾得物情報データベースに登録されている前記拾得物情報を、前記特定情報を除いて前記第２の端末装置へ送信し、
前記第２の端末装置から前記ネットワークを介して遺失物に関する遺失物情報の入力を受け付け、前記遺失物情報と前記拾得物情報データベース内の前記特定情報との整合性を判定し、前記第２の端末装置に対して判定結果を返す、
ことを特徴とする拾得物情報管理方法。
【手続補正４】
【補正対象書類名】明細書
【補正対象項目名】００２３
【補正方法】変更
【補正の内容】
【００２３】
すると、拾得物情報管理サーバ５では、拾得物届出処理手段５ｂにより、第１の端末装置４からネットワーク経由で拾得物に関する拾得物情報８の入力が受け付けられる。そして、拾得物届出処理手段５ｂにより、拾得物情報８の一部を非公開の特定情報８ａとして、拾得物情報８が拾得物情報データベース５ａに登録される。


【手続補正５】
【補正対象書類名】明細書
【補正対象項目名】００５５
【補正方法】変更
【補正の内容】
【００５５】
特徴情報（公開）の欄には、遺失物の特徴を表す情報が登録される。この特徴情報は、公に公開される情報である。特徴情報（公開）の欄は、特徴を示す属性毎に複数の欄が設けられている。図５の例では、色、種類、画像などの欄が設けられている。色の欄には、拾得物の外観の色が設定される。種類の欄には、遺失物の細かな種類に関する情報が設定される。たとえば、拾得物がカバンであれば、セカンドバッグ（セカンド）であることが設定されたり、拾得物がサイフであれば２つ折りであることが設定されたりする。画像の欄には、拾得物を撮影した画像を保存したファイルの名称が設定される。


【手続補正６】
【補正対象書類名】明細書
【補正対象項目名】０１３７
【補正方法】変更
【補正の内容】
【０１３７】
［ステップＳ５１］整合性判定部１８０は、合致チェックの結果を端末装置２０４に送信する。端末装置２０４では、チェック結果を表示する。表示されるチェック結果には、たとえば、合致／非合致を示す情報が含まれる。


【手続補正７】
【補正対象書類名】明細書
【補正対象項目名】０１９８
【補正方法】変更
【補正の内容】
【０１９８】
（付記１）　拾得物に関する情報を管理する拾得物情報管理サーバにおいて、第１の端末装置からネットワーク経由で拾得物に関する拾得物情報の入力を受け付け、前記拾得物情報の一部を非公開の特定情報として、前記拾得物情報を拾得物情報データベースに登録する拾得物届出処理手段と、
第２の端末装置から前記ネットワークを介して入力される前記拾得物情報の参照要求に応答して、前記拾得物情報データベースに登録されている前記拾得物情報を、前記特定情報を除いて前記第２の端末装置へ送信する情報公開手段と、
前記第２の端末装置から前記ネットワークを介して遺失物に関する遺失物情報の入力を受け付け、前記遺失物情報と前記拾得物情報データベース内の前記特定情報との整合性を判定し、前記第２の端末装置に対して判定結果を返す整合性判定手段と、
を有することを特徴とする拾得物情報管理サーバ。


【手続補正８】
【補正対象書類名】明細書
【補正対象項目名】０２０７
【補正方法】変更
【補正の内容】
【０２０７】
（付記１１）　拾得物に関する情報を管理するための拾得物情報管理プログラムにおいて、
コンピュータに、
第１の端末装置からネットワーク経由で拾得物に関する拾得物情報の入力を受け付け、前記拾得物情報の一部を非公開の特定情報として、前記拾得物情報を拾得物情報データベースに登録し、
第２の端末装置から前記ネットワークを介して入力される前記拾得物情報の参照要求に応答して、前記拾得物情報データベースに登録されている前記拾得物情報を、前記特定情報を除いて前記第２の端末装置へ送信し、
前記第２の端末装置から前記ネットワークを介して遺失物に関する遺失物情報の入力を受け付け、前記遺失物情報と前記拾得物情報データベース内の前記特定情報との整合性を判定し、前記第２の端末装置に対して判定結果を返す、
処理を実行させることを特徴とする拾得物情報管理プログラム。


【手続補正９】
【補正対象書類名】明細書
【補正対象項目名】０２０９
【補正方法】変更
【補正の内容】
【０２０９】
（付記１３）　拾得物に関する情報をコンピュータにより管理するための拾得物情報管理方法において、
第１の端末装置からネットワーク経由で拾得物に関する拾得物情報の入力を受け付け、前記拾得物情報の一部を非公開の特定情報として、前記拾得物情報を拾得物情報データベースに登録し、
第２の端末装置から前記ネットワークを介して入力される前記拾得物情報の参照要求に応答して、前記拾得物情報データベースに登録されている前記拾得物情報を、前記特定情報を除いて前記第２の端末装置へ送信し、
前記第２の端末装置から前記ネットワークを介して遺失物に関する遺失物情報の入力を受け付け、前記遺失物情報と前記拾得物情報データベース内の前記特定情報との整合性を判定し、前記第２の端末装置に対して判定結果を返す、
ことを特徴とする拾得物情報管理方法。


【手続補正１０】
【補正対象書類名】明細書
【補正対象項目名】０２１１
【補正方法】変更
【補正の内容】
【０２１１】
（付記１５）　拾得物に関する情報を管理するための拾得物情報管理プログラムを記録したコンピュータ読み取り可能な記録媒体において、
前記コンピュータに、
第１の端末装置からネットワーク経由で拾得物に関する拾得物情報の入力を受け付け、前記拾得物情報の一部を非公開の特定情報として、前記拾得物情報を拾得物情報データベースに登録し、
第２の端末装置から前記ネットワークを介して入力される前記拾得物情報の参照要求に応答して、前記拾得物情報データベースに登録されている前記拾得物情報を、前記特定情報を除いて前記第２の端末装置へ送信し、
前記第２の端末装置から前記ネットワークを介して遺失物に関する遺失物情報の入力を受け付け、前記遺失物情報と前記拾得物情報データベース内の前記特定情報との整合性を判定し、前記第２の端末装置に対して判定結果を返す、
処理を実行させることを特徴とする拾得物情報管理プログラムを記録したコンピュータ読み取り可能な記録媒体。


【手続補正１１】
【補正対象書類名】明細書
【補正対象項目名】図１９
【補正方法】変更
【補正の内容】
【図１９】
拾得物情報ＤＢに付加された加盟店固有情報の例を示す図である。


【手続補正１２】
【補正対象書類名】図面
【補正対象項目名】図１８
【補正方法】変更
【補正の内容】
【図１８】
2004030485.tif 000028